(57)【特許請求の範囲】
【請求項１】
ユーザ装置（ＵＥ）によるインター・拡張ノードＢ（ｅＮＢ）・ハンドオーバのための方法であって、
ソースｅＮＢに測定報告を送信することと；
前記測定報告を送信した後に、前記ソースｅＮＢからハンドオーバメッセージを受信すること、前記ハンドオーバメッセージは、ターゲットｅＮＢによってトランスペアレントコンテナの中に生成され、前記トランスペアレントコンテナの中で、前記ソースｅＮＢから前記ＵＥに転送される、前記ＵＥについてのコンフィギュレーションを備える、と；
を備える方法。
【請求項２】
前記コンフィギュレーションは、前記ターゲットｅＮＢによって決定される前記ＵＥの現在のコンフィギュレーションへの１つまたはそれより多くの変更をもつデルタコンフィギュレーションを備える、請求項１に記載の方法。
【請求項３】
前記コンフィギュレーションは、前記ターゲットｅＮＢによって、前記トランスペアレントコンテナの中で前記ソースｅＮＢに送られる、請求項１に記載の方法。
【請求項４】
前記ハンドオーバメッセージを受信することは、無線リソース制御（ＲＲＣ）メッセージの中で前記ハンドオーバメッセージを受信することを備える、請求項１に記載の方法。
【請求項５】
前記ＲＲＣメッセージは、前記ソースｅＮＢと前記ターゲットｅＮＢとの間のモビリティを容易にするために、コンフィギュレーション情報を備える、請求項４に記載の方法。
【請求項６】
前記ＲＲＣメッセージは、ＲＲＣ接続変更コマンドメッセージを備える、請求項５に記載の方法。
【請求項７】
前記ターゲットｅＮＢからの前記コンフィギュレーションは、前記ソースｅＮＢにより、前記ＲＲＣ接続変更コマンドメッセージの中に前記コンフィギュレーションを入れることを容易にするために、情報エレメント（ＩＥ）を含む、請求項６に記載の方法。
【請求項８】
前記測定報告は、前記ターゲットｅＮＢが
好ましいターゲットｅＮＢであることを示す情報を備える、請求項１に記載の方法。
【請求項９】
前記測定報告は、前記ＵＥにおける現在の無線状態に関する情報を備える、請求項１に記載の方法。
【請求項１０】
前記デルタコンフィギュレーションは、前記ターゲットｅＮＢに関連づけられる前記ＵＥについての前記現在のコンフィギュレーションと新しいコンフィギュレーションとの間の、前記ターゲットｅＮＢでの比較にもとづいて生成される、請求項２に記載の方法。
【請求項１１】
前記ハンドオーバメッセージは、前記ターゲットｅＮＢによって指定されるコンフィギュレーションパラメータを備える、請求項１に記載の方法。
【請求項１２】
前記ソースｅＮＢとターゲットｅＮＢは、異なるプロトコルバージョンをサポートするか、または、無線コンフィギュレーションについての異なるポリシーを有する、請求項１に記載の方法。
【請求項１３】
ワイヤレス通信システムにおけるインター・拡張ノードＢ（ｅＮＢ）・ハンドオーバを行うためのユーザ装置（ＵＥ）であって、
ソースｅＮＢに測定報告を送信するための手段と；
前記測定報告を送信した後に、前記ソースｅＮＢからハンドオーバメッセージを受信するための手段と、前記ハンドオーバメッセージは、ターゲットｅＮＢによってトランスペアレントコンテナの中に生成され、前記トランスペアレントコンテナの中で、前記ソースｅＮＢから前記ＵＥに転送される、前記ＵＥについてのコンフィギュレーションを備える、と；
を備えるユーザ装置。
【請求項１４】
前記コンフィギュレーションは、前記ターゲットｅＮＢによって決定される前記ＵＥの現在のコンフィギュレーションへの１つまたはそれより多くの変更をもつデルタコンフィギュレーションを備える、請求項１３記載のユーザ装置。
【請求項１５】
前記コンフィギュレーションは、前記ターゲットｅＮＢによって、前記トランスペアレントコンテナの中で前記ソースｅＮＢに送られる、請求項１３に記載のユーザ装置。
【請求項１６】
前記測定報告は、好ましいターゲットｅＮＢ、または前記ＵＥにおける現在の無線状態に関する情報を備える、請求項１３に記載のユーザ装置。
【請求項１７】
前記デルタコンフィギュレーションは、前記ターゲットｅＮＢによって特定される１つまたはそれより多くの変更、前記インター・ｅＮＢ・ハンドオーバを容易にするための現在のコンフィギュレーションへの１つまたはそれより多くの変更、または、前記ターゲットｅＮＢによって指定されるコンフィギュレーションパラメータを備える、請求項１３に記載のユーザ装置。
【請求項１８】
前記デルタコンフィギュレーションは、前記ＵＥの前記現在のコンフィギュレーション、および、前記ターゲットｅＮＢにおける前記ＵＥについての新しいコンフィギュレーションの間の、前記ターゲットｅＮＢでの比較にもとづいて生成される、請求項１３に記載のユーザ装置。
【請求項１９】
ワイヤレス通信システムにおけるインター・拡張ノードＢ（ｅＮＢ）・ハンドオーバのためのユーザ装置（ＵＥ）であって、
ターゲットｅＮＢにおいて、ソースｅＮＢから前記ターゲットｅＮＢにハンドオーバされるユーザ装置（ＵＥ）のためのハンドオーバメッセージを受信することと；
前記ＵＥについて前記ターゲットｅＮＢによって指定されるコンフィギュレーションを決定することと；
トランスペアレントコンテナの中で、前記ターゲットｅＮＢから前記ソースｅＮＢに、前記コンフィギュレーションを含むハンドオーバ要求肯定応答メッセージを送信すること、前記ハンドオーバ要求肯定応答メッセージは、前記ソースｅＮＢが、前記ＵＥに、前記トランスペアレントコンテナの中で前記コンフィギュレーションを転送することを可能にするよう構成される、と； 
を備える方法。
【請求項２０】
前記コンフィギュレーションは、前記ターゲットｅＮＢによって指定される１つまたはそれより多くの変更をもつデルタコンフィギュレーションを備える、請求項１９に記載の方法。
【請求項２１】
前記デルタコンフィギュレーションは、前記ＵＥの現在のコンフィギュレーションと、前記ターゲットｅＮＢにおける前記ＵＥについての新しいコンフィギュレーションとの間の、前記ターゲットｅＮＢでの比較にもとづいて生成される、請求項２０に記載の方法。
【請求項２２】
前記ターゲットｅＮＢにおいて、前記トランスペアレントコンテナを生成することをさらに備え、前記トランスペアレントコンテナは、前記ターゲットｅＮＢによって指定されるコンフィギュレーションを含む、請求項１９に記載の方法。
【請求項２３】
前記トランスペアレントコンテナは、前記ターゲットｅＮＢへの前記ハンドオーバを容易にするために、ＵＥの現在のコンフィギュレーションを変更するための前記ターゲットｅＮＢにより指定されるコンフィギュレーションパラメータを備える、請求項２２に記載の方法。
【請求項２４】
拡張ノードＢ（ｅＮＢ）・ハンドオーバのための装置であって、
ターゲットｅＮＢにおいて、ソースｅＮＢから前記ターゲットｅＮＢにハンドオーバされるユーザ装置（ＵＥ）のためのハンドオーバメッセージを受信するための手段と；
前記ＵＥについて前記ターゲットｅＮＢによって指定されるコンフィギュレーションを決定するための手段と；
トランスペアレントコンテナの中で、前記ターゲットｅＮＢから前記ソースｅＮＢに、前記コンフィギュレーションを含むハンドオーバ要求肯定応答メッセージを送信するための手段、前記ハンドオーバ要求肯定応答メッセージは、前記ソースｅＮＢが、前記ＵＥに、前記トランスペアレントコンテナの中で前記コンフィギュレーションを転送することを可能にするよう構成される、と； 
を備える装置。
【請求項２５】
前記コンフィギュレーションは、前記ターゲットｅＮＢによって指定される１つまたはそれより多くの変更をもつデルタコンフィギュレーションを備える、請求項２４に記載の装置。
【請求項２６】
前記デルタコンフィギュレーションは、前記ＵＥの現在のコンフィギュレーションと、前記ターゲットｅＮＢにおける前記ＵＥについての新しいコンフィギュレーションとの間の、前記ターゲットｅＮＢでの比較にもとづいて生成される、請求項２５に記載の装置。
【請求項２７】
前記ターゲットｅＮＢにおいて、前記トランスペアレントコンテナを生成するための手段をさらに備え、前記トランスペアレントコンテナは、前記ターゲットｅＮＢによって指定されるコンフィギュレーションを含む、請求項２４に記載の装置。
【請求項２８】
前記トランスペアレントコンテナは、前記ターゲットｅＮＢへの前記ハンドオーバを容易にするために、ＵＥの現在のコンフィギュレーションを変更するための前記ターゲットｅＮＢにより指定されるコンフィギュレーションパラメータを備える、請求項２７に記載の装置。
【請求項２９】
インター・拡張ノードＢ（ｅＮＢ）・ハンドオーバのための方法であって、
ソースｅＮＢにおいて、ユーザ装置（ＵＥ）から測定報告を受信することと；
前記ソースｅＮＢからターゲットｅＮＢに、ハンドオーバ要求メッセージを送信することと；
前記ソースｅＮＢにおいて、前記ターゲットｅＮＢから、トランスペアレントコンテナの中で、前記ターゲットｅＮＢにより指定されたコンフィギュレーションを含むハンドオーバ要求肯定応答メッセージを受信すること、前記ハンドオーバ要求肯定応答メッセージは、前記ソースｅＮＢが、前記ＵＥに、前記トランスペアレントコンテナの中で前記コンフィギュレーションを転送することを可能にするよう構成される、と； 
前記トランスペアレントコンテナの中で、前記ソースｅＮＢから前記ＵＥに前記コンフィギュレーションを転送することと；
を備える方法。
【請求項３０】
前記コンフィギュレーションは、前記ターゲットｅＮＢによって指定される１つまたはそれより多くの変更をもつデルタコンフィギュレーションを備える、請求項２９に記載の方法。
【請求項３１】
前記デルタコンフィギュレーションは、前記ターゲットｅＮＢに関連付けられた前記ＵＥについての、現在のコンフィギュレーションと新しいコンフィギュレーションとの間の前記ターゲットｅＮＢでの比較にもとづいて生成される、請求項３０に記載の方法。
【請求項３２】
前記ハンドオーバ要求肯定応答メッセージの部分として、前記トランスペアレントコンテナを受信することをさらに備え、前記トランスペアレントコンテナは、前記ターゲットｅＮＢによって指定されるコンフィギュレーションを含む、請求項２９に記載の方法。
【請求項３３】
前記トランスペアレントコンテナは、前記ターゲットｅＮＢへの前記ハンドオーバを容易にするために、ＵＥの現在のコンフィギュレーションを変更するための前記ターゲットｅＮＢにより指定されるコンフィギュレーションパラメータを備える、請求項３２に記載の方法。
【請求項３４】
前記コンフィギュレーションを転送することは、
前記コンフィギュレーションを無線リソース制御（ＲＲＣ）メッセージに入れることと；
前記ＵＥに前記ＲＲＣメッセージを送信することと；
を備える、請求項２９に記載の方法。
【請求項３５】
前記ＲＲＣメッセージは、前記ソースｅＮＢと前記ターゲットｅＮＢとの間のモビリティを容易にするために、コンフィギュレーション情報を備える、請求項３４に記載の方法。
【請求項３６】
前記ＲＲＣメッセージは、ＲＲＣ接続変更コマンドメッセージを備える、請求項３５に記載の方法。
【請求項３７】
前記コンフィギュレーションを、前記ＲＲＣ接続変更コマンドメッセージに入れることを容易にするために、前記ターゲットｅＮＢからトップレベル情報エレメント（ＩＥ）を受信することをさらに備える、請求項３６に記載の方法。
【請求項３８】
前記測定報告は、前記ＵＥにおける現在の無線状態に関する情報を備える、請求項２９に記載の方法。
【請求項３９】
インター・拡張ノードＢ（ｅＮＢ）・ハンドオーバを実行するための装置であって、
ソースｅＮＢにおいて、ユーザ装置（ＵＥ）から測定報告を受信するための手段と；
前記ソースｅＮＢからターゲットｅＮＢに、ハンドオーバ要求メッセージを送信するための手段と；
前記ターゲットｅＮＢから、トランスペアレントコンテナの中で、前記ターゲットｅＮＢにより指定されたコンフィギュレーションを含むハンドオーバ要求肯定応答メッセージを受信するための手段、前記ハンドオーバ要求肯定応答メッセージは、前記ソースｅＮＢが、前記ＵＥに、前記トランスペアレントコンテナの中で前記コンフィギュレーションを転送することを可能にするよう構成される、と；
前記トランスペアレントコンテナの中で、前記ソースｅＮＢから前記ＵＥに前記コンフィギュレーションを転送するための手段と； 
を備える装置。
【請求項４０】
前記コンフィギュレーションは、前記ターゲットｅＮＢによって指定される１つまたはそれより多くの変更を備えるデルタコンフィギュレーションを具備する、請求項３９に記載の装置。
【請求項４１】
前記デルタコンフィギュレーションは、前記ターゲットｅＮＢに関連付けられた前記ＵＥについての、現在のコンフィギュレーションと新しいコンフィギュレーションとの間の前記ターゲットｅＮＢでの比較にもとづいて生成される、請求項４０に記載の装置。
【請求項４２】
前記ハンドオーバ要求肯定応答メッセージの部分として、前記トランスペアレントコンテナを受信するための手段をさらに備え、前記トランスペアレントコンテナは、前記ターゲットｅＮＢによって指定されるコンフィギュレーションを含む、請求項３９に記載の装置。
【請求項４３】
前記トランスペアレントコンテナは、前記ターゲットｅＮＢへの前記ハンドオーバを容易にするために、ＵＥの現在のコンフィギュレーションを変更するための前記ターゲットｅＮＢにより指定されるコンフィギュレーションパラメータを備える、請求項４２に記載の装置。
【請求項４４】
前記コンフィギュレーションを転送するための手段は、
前記コンフィギュレーションを無線リソース制御（ＲＲＣ）メッセージに入れるための手段と；
前記ＵＥに前記ＲＲＣメッセージを送信するための手段と；
を備える、請求項３９に記載の装置。
【請求項４５】
前記ＲＲＣメッセージは、前記ソースｅＮＢと前記ターゲットｅＮＢとの間のモビリティを容易にするために、コンフィギュレーション情報を備える、請求項４４に記載の装置。
【請求項４６】
前記ＲＲＣメッセージは、ＲＲＣ接続変更コマンドメッセージを備える、請求項４５に記載の装置。
【請求項４７】
前記コンフィギュレーションを、前記ＲＲＣ接続変更コマンドメッセージに入れることを容易にするために、前記ターゲットｅＮＢからトップレベル情報エレメント（ＩＥ）を受信するための手段をさらに備える、請求項４６に記載の装置。
【請求項４８】
前記測定報告は、前記ＵＥにおける現在の無線状態に関する情報を備える、請求項３９に記載の装置。
【発明の詳細な説明】
【関連出願の相互参照】
【０００１】
本願は、その全体が、ここにおいて参照によって組み込まれている２００７年６月１９日に出願され、そして「ハンドオーバコマンドの配信の方法および装置(A METHOD AND APPARATUS DELIVERY OF HANDOVER COMMAND)」という名称の米国仮特許出願第６０／９４５，０７０号の利益を主張するものである。
【技術分野】
【０００２】
【背景技術】
【０００３】
ワイヤレス通信システムは、音声、データ、ビデオなど、様々なタイプの通信を提供するために広く展開される。これらのシステムは、使用可能なシステムリソース（例えば、帯域幅および送信パワー）を共用することにより、複数の(multiple)アクセス端末との通信をサポートすることができる多元接続システム(multiple-access systems)とすることができる。そのような多元接続システムの例は、符号分割多元接続(code division multiple access)（ＣＤＭＡ）システムと、時分割多元接続(time division multiple access)（ＴＤＭＡ）システムと、周波数分割多元接続(frequency division multiple access)（ＦＤＭＡ）システムと、３ＧＰＰロングタームエボリューション(Long Term Evolution)（ＬＴＥ）システムと、直交周波数分割多元接続(orthogonal frequency division multiple access)（ＯＦＤＭＡ）システムと、を含む。一般的に、ワイヤレス通信システムは、いくつかの基地局を備え、ここで各基地局は、順方向リンクを使用して移動局と通信し、そして各移動局（またはアクセス端末）は、逆方向リンクを使用して基地局（単数または複数）と通信する。
【０００４】
一般に、ワイヤレス多元接続通信システムは、複数のワイヤレス端末についての通信を同時にサポートすることができる。各端末は、順方向リンクおよび逆方向リンク上の送信を経由して１つまたは複数の基地局と通信する。順方向リンク（またはダウンリンク）は、基地局から端末への通信リンクを意味し、逆方向リンク（またはアップリンク）は、端末から基地局への通信リンクを意味する。この通信リンクは、単一入力単一出力(single-in-single-out)（ＳＩＳＯ）システム、多入力単一出力(multiple-in-single-out)（ＭＩＳＯ）システム、または多入力多出力(multiple-in-multiple-out)（ＭＩＭＯ）システムを経由して確立されることができる。
【０００５】
ＭＩＭＯシステムは、データ送信のために複数の（ＮＴ個の）送信アンテナと、複数の（ＮＲ個の）受信アンテナとを使用する。ＮＴ個の送信アンテナと、ＮＲ個の受信アンテナとによって形成されるＭＩＭＯチャネルは、ＮＳ個の独立チャネルへと分解されることができ、これらの独立チャネルは空間チャネルとも称され、ここで、ＮＳ≦ｍｉｎ｛ＮＴ，ＮＲ｝である。ＮＳ個の独立チャネルのおのおのは、次元(dimension)に対応する。複数の送信アンテナと受信アンテナとによって生成される(created)追加の次元(dimensionalities)が利用される場合、ＭＩＭＯシステムは、改善された性能（例えば、より高いスループットおよび／またはより高い信頼性）を提供することができる。
【０００６】
ＭＩＭＯシステムは、時分割二元(time division duplex)（ＴＤＤ）システムと、周波数分割二元(frequency division duplex)（ＦＤＤ）システムとをサポートする。ＴＤＤシステムにおいては、順方向リンク送信と逆方向リンク送信とは同じ周波数領域上にあり、その結果、その相互主義(reciprocity principle)は逆方向リンクチャネルからの順方向リンクチャネルの推定を可能にする。これにより、ｅＮＢ（進化したノードＢ(Evolved Node B)）は、複数のアンテナがｅＮＢにおいて使用可能であるときに、順方向リンク上で送信ビーム形成利得(transmit beam forming gain)を抽出することができるようになる。
【０００７】
ＵＥは、通信を容易にするために、ＵＥが現在存在するセルをサーブしている(serving)ｅＮＢを必要とする。しかしながら、ＵＥが、現在のロケーションから移動するときに、それは、ＵＥをより良くサーブすることができる可能性がある別のｅＮＢに関連するカバレージエリアにクロスオーバーすることができる。これは、ＵＥが、現在サーブしているｅＮＢから新しいｅＮＢへのハンドオーバ(handover)を実行することを必要とする。しかしながら、ＵＥとｅＮＢとの間の信号方式(signaling)は、信頼できる通信を提供するために最適化される必要がある。
【発明の概要】
【０００８】
以下は、特許請求の範囲の主題(claimed subject matter)のいくつかの態様についての基本的な理解を提供するために、特許請求の範囲の主題の簡略化された概要を提示している。この概要は、特許請求の範囲の主題の広範な概説ではない。特許請求の範囲の主題の重要な、または不可欠な要素を識別するようにも、特許請求の範囲の主題の範囲を示すようにも意図されてはいない。その唯一の目的は、以降で提示されるさらに詳細な説明に対する前置きとして、簡略化された形式で特許請求の範囲の主題のいくつかの概念を提示することである。
【０００９】
ワイヤレス通信システム内においてハンドオーバを実行するための一方法が、この態様に従って開示される。ＵＥに関連する現在のコンフィギュレーションを備える測定報告(measurement report)が、サーブするｅＮＢによって受信される。それに応じて、それは、ハンドオーバを容易にするために、現在のＵＥコンフィギュレーションに対して行われるべき１つまたは複数の変更を備えるデルタコンフィギュレーション(delta configuration)を送信する。ハンドオーバが、ソースｅＮＢから、異なるターゲットｅＮＢへのインターｅＮＢ（拡張ノードＢ(Enhanced Node B)）である場合、測定報告はＵＥからソースｅＮＢへと送信され、そして好ましいターゲットｅＮＢに関する情報を備える。ソースｅＮＢは、現在のＵＥコンフィギュレーションを好ましいターゲットｅＮＢへと転送する。それに応じて、ターゲットｅＮＢは、変更を伴うデルタコンフィギュレーションを生成し、そしてそれをトランスペアレントコンテナ(transparent container)の中でソースｅＮＢに対して送信する。ソースｅＮＢは、コンテナの中に備えられた情報の知識を得ることなく、トランスペアレントコンテナをＵＥへと転送する。別の態様は、イントラｅＮＢハンドオーバ(intra eNB handover)であるハンドオーバに関する。この場合には、ハンドオーバを容易にするＵＥに対して送信されるハンドオーバメッセージは、ローカルコンフィギュレーションと、トランスペアレントコンテナとの間の選択を備える。
【００１０】
さらなる態様は、ハンドオーバに関連する１つまたは複数の不可欠な、または不可欠でない情報が、ＵＥに対して転送されることができるかどうかを測定報告から決定することに関する。この態様に従って、ソースｅＮＢは、１つまたは複数の不可欠な、または不可欠でない情報が、ＵＥに対して送信されることができるかどうかを決定し、そしてその決定に少なくとも基づいて、それは、その後にＵＥに対して転送される、ターゲットｅＮＢからの適切な情報を受信する。測定報告から導き出されるようなＵＥ、またはソースｅＮＢに関連する１つまたは複数の無線状態(radio conditions)に基づいて、不可欠な情報だけが、ＵＥに対して転送されることができる。この場合には、ソースｅＮＢが、不可欠な情報だけを転送することについてターゲットｅＮＢに通知するか、あるいはＵＥが、ハンドオーバの完了のすぐ後に、ターゲットｅＮＢに対して、それがソースｅＮＢから受信した情報を通信するかのいずれかである。
【００１１】
別の態様は、通信システム内のハンドオーバを容易にするための装置に関する。本装置は、ハンドオーバを望むＵＥの現在のコンフィギュレーションに関する情報を備える測定報告を少なくとも受信するレシーバを備える。本装置内にも備えられているプロセッサは、ハンドオーバを容易にするために現在のＵＥコンフィギュレーションにおいて必要とされる１つまたは複数の変更を示す、ＵＥについてのデルタコンフィギュレーションを備える少なくとも１つのハンドオーバメッセージを生成し、そしてそれをＵＥに対してメッセージを送信するトランスミッタに対して提供する。
【００１２】
別の態様は、少なくとも１台のコンピュータに、ＵＥに関連する現在のコンフィギュレーションを備える測定報告を受信するようにさせるためのコードと、少なくとも１台のコンピュータに、現在のＵＥコンフィギュレーションに対して行われるべき１つまたは複数の変更を備えるデルタコンフィギュレーションを受信するようにさせるためのコードと、少なくとも１台のコンピュータに、ＵＥのハンドオーバを容易にするためにＵＥに対してデルタコンフィギュレーションを送信するようにさせるためのコードと、を備えるコンピュータ可読媒体を備えるコンピュータプログラムプロダクトに関する。コードは、現在のＵＥコンフィギュレーションを備える測定報告をＵＥから受信することを容易にする。それに応じて、コードは、さらに、現在のＵＥコンフィギュレーションに対して行われるべき１つまたは複数の変更を備えるデルタコンフィギュレーションをＵＥに対して送信することを容易にし、それによってＵＥのハンドオーバを可能にする。インターｅＮＢハンドオーバにおいては、命令は、さらに、コンテナの内容を復号する必要なしにデルタコンフィギュレーションを備えるトランスペアレントコンテナをＵＥに対して転送することを容易にする。
【００１３】
別の態様は、ハンドオーバを容易にするためのシステムに関する。本システムは、ＵＥに関連する現在のコンフィギュレーションを詳述する、１つまたは複数のＵＥからの１つまたは複数の測定報告を受信するための手段を備える。本システムはまた、ハンドオーバを要求する少なくとも１つのＵＥを識別するために測定報告を解析するための手段を備える。ＵＥの現在のコンフィギュレーションに対する１つまたは複数の変更を指定する少なくとも１つのデルタコンフィギュレーションを備えるメッセージが、本システム内にやはり備えられる送信手段によってＵＥに対して送信される。
【００１４】
別の態様においては、ワイヤレス通信システムにおいてインターｅＮＢハンドオーバを実行する一方法が開示される。本方法は、ハンドオーバについての要求を受信することを備え、ここでその要求は、ハンドオーバを要求するＵＥに関連する現在のコンフィギュレーションに関する情報を備える。本方法はまた、ハンドオーバを容易にするために必要とされる、現在のコンフィギュレーションに対する１つまたは複数の変更を指定するデルタコンフィギュレーションを決定することと、トランスペアレントコンテナの中でデルタコンフィギュレーションを送信することとを容易にする。
【００１５】
さらに別の態様においては、通信システム内においてハンドオーバを容易にするための装置が開示される。本装置は、ハンドオーバを要求するＵＥの現在のコンフィギュレーションに関する情報を受信するレシーバを備える。本装置内にも備えられているプロセッサは、ＵＥについての少なくとも１つのデルタコンフィギュレーションを決定し、ここでデルタコンフィギュレーションは、ハンドオーバを容易にするために現在のＵＥコンフィギュレーションにおいて必要とされる１つまたは複数の変更を示す。トランスミッタは、デルタコンフィギュレーションを受信し、そしてトランスペアレントコンテナの中でデルタコンフィギュレーションを送信する。
【００１６】
別の態様は、少なくとも１台のコンピュータに、ハンドオーバについての要求を受信するようにさせるためのコードと、なおその要求は、ハンドオーバを要求するＵＥに関連する現在のコンフィギュレーションに関する情報を備える；少なくとも１台のコンピュータに、ハンドオーバを容易にするために必要とされる、現在のコンフィギュレーションに対する１つまたは複数の変更を指定するデルタコンフィギュレーションを決定するようにさせるためのコードと；少なくとも１台のコンピュータに、トランスペアレントコンテナの中でデルタコンフィギュレーションを送信するようにさせるためのコードと；を備えるコンピュータ可読媒体を備えるコンピュータプログラムプロダクトに関する。
【００１７】
ワイヤレス通信システム内においてハンドオーバを実行するための一方法が別の態様において開示される。本方法は、ＵＥの現在のコンフィギュレーションを備える測定報告を送信することと、現在のコンフィギュレーションに対して行われるべき１つまたは複数の変更を備えるデルタコンフィギュレーションを受信することと、ハンドオーバを容易にするためにデルタコンフィギュレーションをインプリメントすることとのステップを備える。ハンドオーバが、ソースｅＮＢから好ましいターゲットｅＮＢへのインターｅＮＢ（拡張ノードＢ）ハンドオーバである場合、好ましいターゲットｅＮＢは、ＵＥに関連する無線状態に関する情報に加えて測定報告の中でソースｅＮＢに対して示される。それに応じて、デルタコンフィギュレーションは、ＵＥにおいて、ソースｅＮＢからのトランスペアレントコンテナの中で受信される。さらに、本方法は、測定報告の中で送信される無線状態に少なくとも基づいてソースｅＮＢから１つまたは複数の不可欠な、または不可欠でない情報を受信するステップをさらに備える。本方法はまた、ハンドオーバの完了のすぐ後に、ソースｅＮＢから受信される情報に関する情報を備えるメッセージをターゲットｅＮＢに対して送信することを容易にする。
【００１８】
ワイヤレス通信システムにおいてハンドオーバを容易にするための装置が、さらに別の態様に従って開示される。本装置は、現在のコンフィギュレーションと、ＵＥに関連する無線状態とに関する情報を備える少なくとも１つの測定報告を生成するプロセッサを備える。本装置内にも備えられているトランスミッタは、測定報告を送信する。本装置はまた、デルタコンフィギュレーションを備えるメッセージを受信するレシーバを含んでおり、ここでデルタコンフィギュレーションは、ハンドオーバを容易にするために必要である、現在のコンフィギュレーションに対する変更を詳述する。
【００１９】
さらなる態様においては、主題の革新は、少なくとも１台のコンピュータに、ＵＥの現在のコンフィギュレーションを備える測定報告を送信するようにさせるためのコードと、少なくとも１台のコンピュータに、現在のコンフィギュレーションに対して行われるべき１つまたは複数の変更を備えるデルタコンフィギュレーションを受信するようにさせるためのコードと、少なくとも１台のコンピュータに、ハンドオーバを容易にするためにデルタコンフィギュレーションをインプリメントするようにさせるためのコードと、を備えるコンピュータ可読媒体を備えるコンピュータプログラムプロダクトに関する。
【００２０】
ハンドオーバを容易にするためのシステムが、この態様に従って開示される。本システムは、現在のコンフィギュレーションと、ＵＥに関連する無線状態とを含む測定報告を生成するための手段を備える。本システム内にも備えられている送信するための手段は、測定報告を送信する。本システムはまた、ハンドオーバを容易にするために必要とされる、現在のコンフィギュレーションに対する１つまたは複数の変更を詳述するデルタコンフィギュレーションを含むハンドオーバメッセージを受信するための手段を備える。
【００２１】
以下の説明と添付図面とは、特許請求の範囲の主題のある種の例示の態様を詳細に述べている。しかしながら、これらの態様は、特許請求の範囲の主題の原理が使用されることができる様々な方法のうちの少数を示しており、そして特許請求の範囲の主題は、すべてのそのような態様と、それらの均等物(equivalents)とを含むように意図される。特許請求の範囲の主題の他の利点と顕著な特徴とは、図面と併せて考慮されるときに、特許請求の範囲の主題の以下の詳細な説明から明らかになるであろう。
【図面の簡単な説明】
【００２２】
【図１】図１は、一実施形態による多元接続ワイヤレス通信システムを示している。
【図２】図２は、ＭＩＭＯシステムの中のｅＮＢと、アクセス端末（またはＵＥ）との一実施形態のブロック図である。
【図３】図３は、ここにおいて説明される様々な態様に従うワイヤレス多元接続通信システムの説明図である。
【図４】図４は、一態様に従って実行されるハンドオーバプロシージャを示している。
【図５】図５は、インターｅＮＢハンドオーバプロシージャを実行するシステムのより詳細なオペレーションを示している。
【図６】図６は、ここにおいて説明される様々な態様に従ってＲＲＣメッセージの実施形態を示している。
【図７】図７は、一態様に従ってインターｅＮＢハンドオーバを実行するための一方法に関する。
【図８Ａ】図８Ａは、一態様に従って、インターｅＮＢハンドオーバの形でターゲットｅＮＢからＵＥへと不可欠な情報および／または不可欠でない情報を送信する方法に関する。
【図８Ｂ】図８Ｂは、インター−ｅＮＢハンドオーバプロシージャでソースｅＮＢによって不可欠な／不可欠でない情報をＵＥに対して送信する別の態様に関する。
【図９】図９は、一態様に従ってハンドオーバを実行する方法のフローチャートである。
【図１０】図１０は、一態様に従って情報を受信する方法のフローチャートである。
【図１１】図１１は、様々な態様に従ってデバイスの様々なコンポーネントのハイレベルなシステム図を示している。
【図１２】図１２は、ここにおいて説明される異なる態様に従ってデバイスの様々なコンポーネントを示す別のハイレベルな図である。
【図１３】図１３は、主題の明細書に開示される態様に従ってハンドオーバを可能にする一例のシステムのブロック図を示している。
【図１４】図１４は、主題の明細書に開示される態様に従ってインターｅＮｏｄｅ  Ｂハンドオーバを可能にする一例のシステムのブロック図を示している。
【発明の詳細な説明】
【００２３】
特許請求の範囲の主題は、次に図面を参照して説明され、ここで同様な参照番号は、全体を通して同様な要素を意味するように使用される。以下の説明においては、説明の目的のために、非常に多くの特定の詳細が、特許請求の範囲の主題の完全な理解を提供するために述べられる。しかしながら、特許請求の範囲の主題は、これらの特定の詳細なしに実行されることができることが明らかであろう。他の例においては、よく知られている構造およびデバイスは、特許請求の範囲の主題を説明することを容易にするためにブロック図形式で示されている。
【００２４】
様々な実施形態が、次に図面を参照して説明され、ここで同様な参照番号は、全体を通して同様な要素を意味するように使用される。以下の説明においては、説明の目的のために、非常に多くの特定の詳細が、１つまたは複数の態様についての完全な理解を提供するために述べられる。しかしながら、そのような実施形態（単数または複数）は、これらの特定の詳細なしに実行されることができることが明らかであろう。他の例においては、よく知られている構造およびデバイスは、１つまたは複数の実施形態を説明することを容易にするためにブロック図形式で示される。本願において使用されるように、「コンポーネント」、「モジュール」、「システム」などの用語は、ハードウェア、ファームウェア、ハードウェアとソフトウェアとの組合せ、ソフトウェア、あるいは実行中のソフトウェアのいずれであれ、コンピュータに関連したエンティティを意味するように意図される。例えば、コンポーネントは、それだけには限定されないが、プロセッサ上で実行されるプロセス、プロセッサ、集積回路、オブジェクト、実行形式(executable)、実行スレッド(thread of execution)、プログラム、および／またはコンピュータとすることができる。例証として、コンピューティングデバイス上で実行されるアプリケーションも、そのコンピューティングデバイスも共に、コンポーネントとすることができる。１つまたは複数のコンポーネントは、プロセスおよび／または実行スレッドの内部に存在することができ、そしてコンポーネントは、１台のコンピュータ上に局所化され、かつ／または２台以上のコンピュータの間に分散されることができる。さらに、これらのコンポーネントは、様々なデータ構造が記憶されている様々なコンピュータ可読媒体から実行することもできる。コンポーネントは、１つまたは複数のデータパケット（例えば、ローカルシステム、分散システムにおける別のコンポーネントと、かつ／またはインターネットなどのネットワークを通して信号を経由して他のシステムと、相互作用する１つのコンポーネントからのデータ）を有する信号などに従って、ローカルおよび／またはリモートのプロセスを経由して通信することができる。
【００２５】
様々な実施形態は、いくつかのデバイス、コンポーネント、モジュールなどを含むことができるシステムの観点で提示されることになる。様々なシステムは、追加のデバイス、コンポーネント、モジュールなどを含むことができ、かつ／または図に関連して考察されるデバイス、コンポーネント、モジュールなどのすべてを含まなくてもよいことを理解し、認識すべきである。これらのアプローチの組合せもまた、使用されることができる。
【００２６】
言葉「例示の(exemplary)」は、ここにおいては、「例(example)、インスタンス(instance)、または例証(illustration)としての役割を果たすこと」を意味するように使用される。ここにおいて「例示の」として説明されるどのような実施形態または設計も、必ずしも他の実施形態または設計よりも好ましい、あるいは有利であると解釈されるべきであるとは限らない。言葉「リッスンすること(listening)」は、ここにおいては、受信デバイス（ｅＮＢまたはＵＥ）が、与えられたチャネル上で受信しており、そして受信されたデータを処理していることを意味するように使用される。
【００２７】
様々な態様は、遷移する通信リソースに関連して推論のスキームおよび／または技法を組み込むことができる。ここにおいて使用されるように、用語「推論(inference)」は、一般に、イベントおよび／またはデータを経由して取り込まれるような１組の観察からシステム、環境、および／またはユーザの状態について推理する(reasoning)プロセス、あるいはそれらの状態を推論するプロセスを意味する。推論は、特定のコンテキストまたはアクションを識別するために使用されることができ、あるいは例えば状態についての確率分布を生成することができる。推論は、確率論的であり、すなわちユーザの目標および意図における不確実性という状況において、確率的推論を構築し、そして最高に予測されるユーティリティのディスプレイアクションを考慮して、データおよびイベントの考察、または理論的決定(decision theoretic)に基づいた、関心のある状態にわたっての確率分布の計算とすることができる。推論はまた、１組のイベントおよび／またはデータから、よりハイレベルのイベントを構成するために使用される技法を意味することもできる。そのような推論は、それらのイベントが、時間的に近接して相関づけられても、または相関づけられなくても、そしてそれらのイベントおよびデータが、１つまたはいくつかのイベントおよびデータのソースに由来していようと、１組の観察されたイベントおよび／または記憶されたイベントデータから新しいイベントまたはアクションの構築をもたらす。
【００２８】
さらに、様々な態様が、ここにおいて、加入者局に関連して説明される。加入者局は、システム、加入者ユニット、移動局、モバイル、リモート局、アクセスポイント、ｅＮＢ、リモート端末、アクセス端末、ユーザ端末、ユーザエージェント、ユーザデバイス、モバイルデバイス、ポータブル通信デバイス、あるいはユーザ装置とも呼ばれる。加入者局は、セルラ電話、コードレス電話、セッション開始プロトコル(Session Initiation Protocol)（ＳＩＰ）電話、ワイヤレスローカルループ(wireless local loop)（ＷＬＬ）局、携帯型個人情報端末(personal digital assistant)（ＰＤＡ）、ワイヤレス接続機能を有するハンドヘルドデバイス、またはワイヤレスモデムに接続された他の処理デバイスとすることができる。
【００２９】
さらに、ここにおいて説明される様々な態様または特徴は、標準のプログラミング技法および／またはエンジニアリング技法を使用した製造の方法、装置、または物品としてインプリメントされることができる。ここにおいて使用されるような用語「製造の物品」は、任意のコンピュータ可読デバイス、キャリア、または媒体からアクセス可能なコンピュータプログラムを包含するように意図される。例えば、コンピュータ可読媒体は、それだけには限定されないが、磁気ストレージデバイス（例えば、ハードディスク、フロッピー（登録商標）ディスク、磁気ストリップ  ・・・）、光ディスク（例えば、コンパクトディスク(compact disk)（ＣＤ）、デジタル多用途ディスク(digital versatile disk)（ＤＶＤ）  ・・・）、スマートカード、およびフラッシュメモリデバイス（例えば、カード、スティック、キードライブ  ・・・）を含むことができる。さらに、ここにおいて説明される様々なストレージ媒体は、情報を記憶するための１つまたは複数のデバイスおよび／または他の機械可読媒体(machine readable media)を表すことができる。用語「機械可読媒体」は、それだけに限定されることなしに、命令（単数または複数）および／またはデータを記憶し、含み、かつ／または搬送することができるワイヤレスチャネルおよび様々な他の媒体を含むことができる。
【００３０】
ここにおいて説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリア(Single-Carrier)ＦＤＭＡ（ＳＣ−ＦＤＭＡ）ネットワークなど、様々なワイヤレス通信ネットワークのために使用されることができる。用語「ネットワーク」および「システム」は、多くの場合に交換可能に使用される。ＣＤＭＡネットワークは、ユニバーサル地上波無線アクセス(Universal Terrestrial Radio Access)（ＵＴＲＡ）、ｃｄｍａ２０００などの無線技術をインプリメントすることができる。ＵＴＲＡは、広帯域−ＣＤＭＡ(Wideband-CDMA)（Ｗ−ＣＤＭＡ）と、低チップレート(Low Chip Rate)（ＬＣＲ）とを含む。ｃｄｍａ２０００は、ＩＳ−２０００規格と、ＩＳ−９５規格と、ＩＳ−８５６規格とをカバーする。ＴＤＭＡネットワークは、移動通信用グローバルシステム(Global System for Mobile Communications)（ＧＳＭ（登録商標））などの無線技術をインプリメントすることができる。ＯＦＤＭＡネットワークは、先進(Evolved)ＵＴＲＡ（Ｅ−ＵＴＲＡ）、ＩＥＥＥ８０２．１１、ＩＥＥＥ８０２．１６、ＩＥＥＥ８０２．２０、フラッシュ−ＯＦＤＭ(Flash-OFDM)（登録商標）などの無線技術をインプリメントすることができる。ＵＴＲＡ、Ｅ−ＵＴＲＡ、およびＧＳＭは、ユニバーサルモバイル電気通信システム(Universal Mobile Telecommunication System)（ＵＭＴＳ）の一部分である。ロングタームエボリューション（ＬＴＥ）は、Ｅ−ＵＴＲＡを使用するＵＭＴＳの次にやってくるリリースである。ＵＴＲＡ、Ｅ−ＵＴＲＡ、ＧＳＭ、ＵＭＴＳおよびＬＴＥは、「第３世代パートナーシッププロジェクト(3rd Generation Partnership Project)」（３ＧＰＰ）と命名された組織からのドキュメントの中で説明される。ｃｄｍａ２０００は、「第３世代パートナーシッププロジェクト２(3rd Generation Partnership Project 2)」（３ＧＰＰ２）と命名された組織からのドキュメントの中で説明される。これらの様々な無線の技術および規格は、当技術分野において知られている。明確にするために、それらの技法のある種の態様は、ＬＴＥについて下記に説明され、そしてＬＴＥの専門用語が、下記の説明の多くにおいて使用される。
【００３１】
単一キャリア変調と周波数ドメイン等化とを利用した単一キャリア周波数分割多元接続(Single carrier frequency division multiple access)（ＳＣ−ＦＤＭＡ）は一技法である。ＳＣ−ＦＤＭＡは、ＯＦＤＭＡシステムのそれらに類似した性能と、実質的に同じ全般的な複雑さとを有する。ＳＣ−ＦＤＭＡ信号は、その固有の単一キャリア構造のために、より低いピーク対平均パワー比(peak-to-average power ratio)（ＰＡＰＲ）を有する。ＳＣ−ＦＤＭＡは、より低いＰＡＰＲが、送信パワー効率の観点からモバイル端末を非常に利する場合のアップリンク通信において特に大きな注目を引いてきている。それは、現在、３ＧＰＰロングタームエボリューション（ＬＴＥ）、または先進ＵＴＲＡにおけるアップリンク多元接続スキームについての機能する仮定である。
【００３２】
図１を参照すると、一実施形態による多元接続ワイヤレス通信システムが示されている。ｅＮＢ１００は複数のアンテナグループを含んでおり、ここで第１のグループはアンテナ１０４および１０６を含み、別のグループは１０８および１１０を含み、そして追加のグループは１１２および１１４を含む。図１においては、２つのアンテナだけが、各アンテナグループについて示されているが、より多くの、またはより少ないアンテナが各アンテナグループについて利用されることもできる。ＵＥ（ユーザ装置）またはＡＴ（アクセス端末）１１６はアンテナ１１２および１１４と通信しており、ここでアンテナ１１２および１１４は順方向リンク１２０上でＵＥ１１６に対して情報を送信し、そして逆方向リンク１１８上でＵＥ１１６から情報を受信する。ＵＥ１２２はアンテナ１０６および１０８と通信しており、ここでアンテナ１０６および１０８は順方向リンク１２６上でＵＥ１２２に対して情報を送信し、そして逆方向リンク１２４上でＵＥ１２２から情報を受信する。ＦＤＤシステムにおいては、通信リンク１１８と、１２０と、１２４と、１２６とは通信のために異なる周波数を使用することができる。例えば、順方向リンク１２０は、逆方向リンク１１８によって使用される周波数とは異なる周波数を使用することができる。各グループのアンテナ、および／またはそれらが通信するように設計されるエリアは、多くの場合にアクセスポイントまたはｅＮＢのセクタと称される。本実施形態においては、アンテナグループは、おのおの、ｅＮＢ１００によってカバーされるエリア内のセクタの中でＵＥに対して通信するように設計される。
【００３３】
順方向リンク１２０および１２６上の通信においては、ｅＮＢ１００の送信するアンテナは、異なるＵＥ１１６および１２４についての順方向リンクの信号対雑音比を改善するためにビーム形成を利用する。また、そのカバレージエリアを通してランダムにまき散らされたＵＥに対して送信するためにビーム形成を使用するｅＮＢは、すべてのそのＵＥに対して単一アンテナを通して送信するｅＮＢよりも、隣接するセルにおいてＵＥに対してより少ない干渉を引き起こす。
【００３４】
ｅＮＢは、端末と通信するために使用される固定局とすることができ、そしてアクセスポイント、ノードＢ、拡張ノードＢ（ｅＮＢ）、あるいは何らかの他の専門用語で称される。アクセス端末（ＡＴ）は、ユーザ装置（ＵＥ）、ワイヤレス通信デバイス、端末、あるいは何らかの他の専門用語でも呼ばれる。
【００３５】
図２は、ＭＩＭＯシステム２００におけるｅＮＢ２１０、および、アクセス端末（ＡＴ）またはユーザ装置（ＵＥ）２５０の一実施形態のブロック図である。ｅＮＢ２１０において、いくつかのデータストリームについてのトラフィックデータがデータソース２１２から送信（ＴＸ）データプロセッサ２１４へと供給される。
【００３６】
一実施形態においては、各データストリームはそれぞれの送信アンテナ上で送信される。ＴＸデータプロセッサ２１４は、そのデータストリームが符号化されたデータを供給するために選択される特定の符号化スキームに基づいて、各データストリームについてのトラフィックデータをフォーマットし、符号化し、そしてインタリーブする。
【００３７】
各データストリームについての符号化されたデータは、ＯＦＤＭ技法を使用してパイロットデータと多重化されることができる。パイロットデータは、一般的に、知られている方法で処理される、知られているデータパターンであり、そしてチャネル応答を推定するために受信するシステムにおいて使用されることができる。各データストリームについての多重化されたパイロットデータと、符号化されたデータとは、次いでそのデータストリームが変調シンボルを供給するために選択される特定の変調スキーム（例えば、ＢＰＳＫ、ＱＰＳＫ、Ｍ−ＰＳＫ、またはＭ−ＱＡＭ）に基づいて変調される（すなわち、シンボルマッピングされる）。各データストリームについてのデータレート、符号化、および変調は、プロセッサ２３０によって実行される命令によって決定されることができる。
【００３８】
次いで、すべてのデータストリームについての変調シンボルは、ＴＸ  ＭＩＭＯプロセッサ２２０へと供給され、このＴＸ  ＭＩＭＯプロセッサはさらに、（例えば、ＯＦＤＭについての）変調シンボルを処理することができる。次いで、ＴＸ  ＭＩＭＯプロセッサ２２０は、ＮＴ個の変調シンボルストリームをＮＴ個のトランシーバ（ＴＭＴＲ）２２２ａから２２２ｔへと供給する。ある種の実施形態においては、ＴＸ  ＭＩＭＯプロセッサ２２０は、データストリームのシンボルに対して、そしてシンボルが送信されている元のアンテナに対して、ビーム形成重み(beam forming weights)を適用する。
【００３９】
各トランシーバ２２２は、１つまたは複数のアナログ信号を供給するためにそれぞれのシンボルストリームを受信し、処理し、そしてＭＩＭＯチャネル上での送信のために適切な被変調信号を供給するために、さらにアナログ信号を条件づける（例えば、増幅し、フィルタをかけ、そしてアップコンバートする）。次いで、トランシーバ２２２ａないし２２２ｔからのＮＴ個の被変調信号は、それぞれＮＴ個のアンテナ２２４ａないし２２４ｔから送信される。
【００４０】
ＵＥ２５０において、送信された被変調信号は、ＮＲ個のアンテナ２５２ａから２５２ｒによって受信され、各アンテナ２５２からの受信信号は、それぞれのトランシーバ（ＲＣＶＲ）２５４ａから２５４ｒへと供給される。各トランシーバ２５４は、それぞれの受信信号を条件づけ（例えば、フィルタをかけ、増幅し、そしてダウンコンバートし）、サンプルを供給するために条件づけられた信号をデジタル化し、そしてさらに対応する「受信された」シンボルストリームを供給するためにサンプルを処理する。
【００４１】
次いで、ＲＸデータプロセッサ２６０は、ＮＴ個の「検出された」シンボルストリームを供給するために、特定のトランシーバ処理技法に基づいてＮＲ個のトランシーバ２５４からのＮＲ個の受信シンボルストリームを受信し、そして処理する。受信シンボルまたは他の情報は、関連するメモリ２７２に記憶されることができる。次いで、ＲＸデータプロセッサ２６０は、データストリームについてのトラフィックデータを回復するために、検出された各シンボルストリームを復調し、デインタリーブし、そして復号する。ＲＸデータプロセッサ２６０による処理は、ｅＮＢ２１０におけるＴＸ  ＭＩＭＯプロセッサ２２０と、ＴＸデータプロセッサ２１４とによって実行される処理と相補的である。
【００４２】
プロセッサ２７０は、どのプリコーディング行列(pre-coding matrix)を使用すべきかを定期的に決定する（下記に論じられる）。プロセッサ２７０は、行列インデックス部分(matrix index portion)と、ランク値部分(rank value portion)とを備える逆方向リンクメッセージを定式化(formulate)する。
【００４３】
逆方向リンクメッセージは、通信リンクおよび／または受信データストリームに関する様々なタイプの情報を備えることができる。例えば、逆方向リンク通信は、ＵＥ２５０からサービングｅＮＢ２１０への定期的な測定報告を備えることができる。これらの測定報告はＵＥに関連する１つまたは複数の無線状態を備えることができ、あるいはハンドオーバが望まれる場合には、好ましいターゲットｅＮＢまたは逆方向リンク通信に関する情報は、１つまたは複数の不可欠な、または不可欠でない情報が、以下に詳述される様々な態様に従ってＵＥによって受信されているかどうかを信号で伝えるために利用されることができる。逆方向リンク上で受信される情報は、関連するメモリ２３２に記憶されることができる。次いで、逆方向リンクメッセージは、データソース２３６からいくつかのデータストリームについてのトラフィックデータも受信するＴＸデータプロセッサ２３８によって処理され、変調器２８０によって変調され、トランシーバ２５４ａから２５４ｒによって条件づけられ、そして送信するシステム２１０へと送信して戻される。
【００４４】
ｅＮＢ２１０において、受信するシステム２５０からの変調信号は、アンテナ２２４によって受信され、トランシーバ２２２によって条件づけられ、復調器２４０によって復調され、そしてトランシーバシステム２５０によって送信される逆方向リンクメッセージを抽出するためにＲＸデータプロセッサ２４２によって処理される。次いで、プロセッサ２３０は、ビーム形成重みを決定するために、どのプリコーディング行列を使用すべきかを決定し、次いで抽出されたメッセージを処理する。
【００４５】
一態様においては、論理チャネルは、制御チャネルとトラフィックチャネルとに分類される。論理制御チャネルは、システム制御情報をブロードキャストするためのＤＬチャネルであるブロードキャスト制御チャネル(Broadcast Control Channel)（ＢＣＣＨ）を備える。ページング制御チャネル(Paging Control Channel)（ＰＣＣＨ）は、ページング情報を転送するＤＬチャネルである。マルチキャスト制御チャネル(Multicast Control Channel)（ＭＣＣＨ）は、１つまたはいくつかのＭＴＣＨについてのマルチメディアブロードキャストおよびマルチキャストサービス(Multimedia Broadcast and Multicast Service)（ＭＢＭＳ）のスケジューリングおよび制御の情報を送信するために使用されるポイントツーマルチポイントＤＬチャネルである。一般に、ＲＲＣ接続を確立した後に、このチャネルは、ＭＢＭＳを受信するＵＥによって使用されるだけである。専用制御チャネル(Dedicated Control Channel)（ＤＣＣＨ）は、専用制御情報を送信するポイントツーポイント双方向チャネルであり、そしてＲＲＣ接続を有するＵＥによって使用される。一態様においては、論理トラフィックチャネルは、ユーザ情報の転送のために１つのＵＥに専用の、ポイントツーポイント双方向チャネルである専用トラフィックチャネル(Dedicated Traffic Channel)（ＤＴＣＨ）を備える。また、トラフィックデータを送信するためのポイントツーマルチポイントＤＬチャネルについてのマルチキャストトラフィックチャネル(Multicast Traffic Channel)（ＭＴＣＨ）もある。
【００４６】
一態様においては、トランスポートチャネル(Transport Channels)は、ＤＬとＵＬとに分類される。ＤＬトランスポートチャネルは全体のセルにわたってブロードキャストされ、そして他の制御／トラフィックチャネルのために使用されることができるＰＨＹリソースにマッピングされる、ブロードキャストチャネル(Broadcast Channel)（ＢＣＨ）と、ダウンリンク共用チャネル(Downlink Shared Channel)（ＤＬ−ＳＣＨ）と、ページングチャネル(Paging Channel)（ＰＣＨ）、ＵＥパワーセービングのサポートのためのＰＣＨ（ＤＲＸサイクルは、ＵＥに対してネットワークによって示される）と、を備える。ＭＢＭＳに関連するＤＬトランスポートチャネルはマルチキャストチャネル(Multicast Channel)（ＭＣＨ）である。ＵＬトランスポートチャネルは、ランダムアクセスチャネル(Random Access Channel)（ＲＡＣＨ）と、アップリンク共用データチャネル(Uplink Shared Data Channel)（ＵＬ−ＳＤＣＨ）と、複数のＰＨＹチャネルとを備える。ＰＨＹチャネルは、１組のＤＬチャネルとＵＬチャネルとを備える。
【００４７】
ＤＬ  ＰＨＹのチャネルおよび信号は、以下を備える。
【００４８】
基準信号(Reference signal)（ＲＳ）
一次および二次の同期信号(Primary and Secondary Synchronization Signals)（ＰＳＳ／ＳＳＳ）物理ダウンリンク共用チャネル(Physical Downlink Shared Channel)（ＰＤＳＣＨ）物理ダウンリンク制御チャネル(Physical Downlink Control Channel)（ＰＤＣＣＨ）物理マルチキャスト信号(Physical Multicast Channel)（ＰＭＣＨ）物理ＨＡＲＱインジケータチャネル(Physical HARQ Indicator Channel)（ＰＨＩＣＨ）物理制御フォーマットインジケータチャネル(Physical Control Format Indicator Channel)（ＰＣＦＩＣＨ）
ＵＬ  ＰＨＹチャネルは、以下を備える。
【００４９】
物理ランダムアクセスチャネル(Physical Random Access Channel)（ＰＲＡＣＨ）
物理アップリンク制御チャネル(Physical Uplink Control Channel)（ＰＵＣＣＨ）
チャネル品質インジケータ(Channel Quality Indicator)（ＣＱＩ）
プリコーディング行列インジケータ(Precoding Matrix Indicator)（ＰＭＩ）
ランクインジケータ(Rank Indicator)（ＲＩ）
スケジューリング要求(Scheduling request)（ＳＲ）
アップリンクＡＣＫ／ＮＡＫ物理アップリンク共用チャネル(Physical Uplink Shared Channel)（ＰＵＳＣＨ）
サウンディング基準信号(Sounding Reference Signal)（ＳＲＳ）
一態様においては、単一キャリア波形の低ＰＡＲ（与えられた任意の時刻に、チャネルが、連続しており、あるいは周波数において一様に間隔が開けられている）特性を保持するチャネル構造が、提供される。
【００５０】
本ドキュメントの目的のために、以下の省略形が適用される。
【００５１】
ＡＭ          肯定応答モード(Acknowledged Mode)
ＡＭＤ        肯定応答モードデータ(Acknowledged Mode Data)
ＡＲＱ        自動反復要求(Automatic Repeat Request)
ＢＣＣＨ      ブロードキャスト制御チャネル(Broadcast Control CHannel)
ＢＣＨ        ブロードキャストチャネル(Broadcast CHannel)
Ｃ−          制御−(Control-)
ＣＣＣＨ      共通制御チャネル(Common Control CHannel)
ＣＣＨ        制御チャネル(Control CHannel)
ＣＣＴｒＣＨ  符号化複合トランスポートチャネル(Coded Composite Transport Channel)
ＣＰ          巡回プレフィックス(Cyclic Prefix)
ＣＲＣ        巡回冗長度チェック(Cyclic Redundancy Check)
ＣＴＣＨ      共通トラフィックチャネル(Common Traffic CHannel)
ＤＣＣＨ      専用制御チャネル(Dedicated Control CHannel)
ＤＣＨ        専用チャネル(Dedicated CHannel)
ＤＬ          ダウンリンク(Down Link)
ＤＳＣＨ      ダウンリンク共用チャネル(Down Link Shared CHannel)
ＤＴＣＨ      専用トラフィックチャネル(Dedicated Traffic CHannel)
ＦＡＣＨ      順方向リンクアクセスチャネル(Forward link Access CHannel)
ＦＤＤ        周波数分割二元(Frequency Division Duplex)
Ｌ１          レイヤ１(Layer 1)（物理レイヤ）
Ｌ２          レイヤ２(Layer 2)（データリンクレイヤ）
Ｌ３          レイヤ３(Layer 3)（ネットワークレイヤ）
ＬＩ          長さインジケータ(Length Indicator)
ＬＳＢ        最下位ビット(Least Significant Bit)
ＭＡＣ        媒体アクセス制御(Medium Access Control)
ＭＢＭＳ      マルチメディアブロードキャストマルチキャストサービス(Multimedia Broadcast Multicast Service)
ＭＣＣＨ      ＭＢＭＳポイントツーマルチポイント制御チャネル(MBMS point-to-multipoint Control CHannel)
ＭＲＷ        移動受信ウィンドウ(Move Receiving Window)
ＭＳＢ        最上位ビット(Most Significant Bit)
ＭＳＣＨ      ＭＢＭＳポイントツーマルチポイントスケジューリングチャネル(MBMS point-to-multipoint Scheduling CHannel)
ＭＴＣＨ      ＭＢＭＳポイントツーマルチポイントトラフィックチャネル(MBMS point-to-multipoint Traffic CHannel)
ＰＣＣＨ      ページング制御チャネル(Paging Control CHannel)
ＰＣＨ        ページングチャネル(Paging CHannel)
ＰＤＵ        プロトコルデータユニット(Protocol Data Unit)
ＰＨＹ        物理レイヤ(PHYsical layer)
ＰｈｙＣＨ    物理チャネル(Physical CHannels)
ＲＡＣＨ      ランダムアクセスチャネル(Random Access CHannel)
ＲＬＣ        無線リンク制御(Radio Link Control)
ＲＲＣ        無線リソース制御(Radio Resource Control)
ＳＡＰ        サービスアクセスポイント(Service Access Point)
ＳＤＵ        サービスデータユニット(Service Data Unit)
ＳＨＣＣＨ    共用チャネル制御チャネル(SHared channel Control CHannel)
ＳＮ          シーケンス番号(Sequence Number)
ＳＵＦＩ      スーパーフィールド(SUper FIeld)
ＴＣＨ        トラフィックチャネル(Traffic CHannel)
ＴＤＤ        時分割二元(Time Division Duplex)
ＴＦＩ        トランスポートフォーマットインジケータ(Transport Format Indicator)
ＴＭ          トランスペアレントモード(Transparent Mode)
ＴＭＤ        トランスペアレントモードデータ(Transparent Mode Data)
ＴＴＩ        送信時間間隔(Transmission Time Interval)
Ｕ−          ユーザ−(User-)
ＵＥ          ユーザ装置(User Equipment)
ＵＬ          アップリンク(UpLink)
ＵＭ          非肯定応答モード(Unacknowledged Mode)
ＵＭＤ        非肯定応答モードデータ(Unacknowledged Mode Data)
ＵＭＴＳ      ユニバーサルモバイル電気通信システム(Universal Mobile Telecommunication System)
ＵＴＲＡ      ＵＭＴＳ地上波無線アクセス(UMTS Terrestrial Radio Access)
ＵＴＲＡＮ    ＵＭＴＳ地上波無線アクセスネットワーク(UMTS Terrestrial Radio Access Network)
ＭＢＳＦＮ    マルチキャストブロードキャスト単一周波数ネットワーク(multicast broadcast single frequency network)
ＭＣＥ        ＭＢＭＳ調整エンティティ(MBMS coordinating entity)
ＭＣＨ        マルチキャストチャネル(multicast channel)
ＤＬ−ＳＣＨ  ダウンリンク共用チャネル(downlink shared channel)
ＭＳＣＨ      ＭＢＭＳ制御チャネル(MBMS control channel)
ＰＤＣＣＨ    物理ダウンリンク制御チャネル(physical downlink control channel)
ＰＤＳＣＨ    物理ダウンリンク共用チャネル(physical downlink shared channel)
ＭＢＳＦＮ    マルチキャストブロードキャスト単一周波数ネットワーク(multicast broadcast single frequency network)
ＭＣＥ        ＭＢＭＳ調整エンティティ(MBMS coordinating entity)
ＭＣＨ        マルチキャストチャネル(multicast channel)
ＤＬ−ＳＣＨ  ダウンリンク共用チャネル(downlink shared channel)
ＭＳＣＨ      ＭＢＭＳ制御チャネル(MBMS control channel)
ＰＤＣＣＨ    物理ダウンリンク制御チャネル(physical downlink control channel)
ＰＤＳＣＨ    物理ダウンリンク共用チャネル(physical downlink shared channel)
ＰＵＣＣＨ    物理アップリンク制御チャネル(physical uplink control channel)
ＰＵＳＣＨ    物理アップリンク共用チャネル(physical uplink shared channel)
図３は、様々な態様に従うワイヤレス多元接続通信システム３００の説明図である。一例においては、ワイヤレス多元接続通信システム３００は、複数のｅＮＢ３１０と、複数のＵＥ３２０とを含む。各ｅＮＢ３１０は、特定の地理的エリア３０２（例えば、３０２ａ、３０２ｂ、３０２ｃ）についての通信カバレージを提供する。用語「セル」は、その用語が使用される状況に応じてｅＮＢおよび／またはそのカバレージエリアを意味することができる。システム容量を改善するために、アクセス端末カバレージエリアは、複数のより小さなエリア、例えば、３つのより小さなエリア３０４ａと、３０４ｂと、３０４ｃとに分割されることができる。より小さな各エリアは、それぞれのｅＮＢによってサーブされる。用語「セクタ」は、その用語が使用される状況に応じてｅＮＢおよび／またはそのカバレージエリアを意味することができる。セクタ化されたセルでは、そのセルのすべてのセクタについてのｅＮＢは、一般的にそのセルについての基地局内の同じ場所に配置される。ここにおいて説明される信号送信技法は、セクタ化されたセルを有するシステム、ならびにセクタ化されていないセルを有するシステムのために使用されることができる。簡単にするために、以下の説明においては、用語「基地局」またはｅＮＢは、セクタをサーブする局、ならびにセルをサーブする局について包括的に使用される。
【００５２】
端末またはＵＥ３２０は、一般的にシステム全体にわたって分散されており、そして各ＵＥは、固定されていても、あるいはモバイルであってもよい。端末は、移動局、ユーザ装置、および／または何らかの他のデバイスとも呼ばれ、そしてそれらの機能の一部またはすべてを含むことができる。端末は、ワイヤレスデバイス、セルラ電話、携帯型個人情報端末（ＰＤＡ）、ワイヤレスモデムカードなどとすることができる。端末は、与えられた任意の瞬間に順方向リンクと、逆方向リンクとの上で、ゼロ、１つ、または複数の基地局と通信することができる。
【００５３】
中央集中されたアーキテクチャでは、システムコントローラ３３０は、ＡＰ３１０に結合し、これらの基地局についての調整および制御を提供する。システムコントローラ３３０は、単一のネットワークエンティティ、またはネットワークエンティティの集まりとすることができる。分散されたアーキテクチャでは、ｅＮＢ３１０は、必要に応じて互いに通信することができる。
【００５４】
オペレーションについての、フルおよびハーフの二元のＦＤＤ（周波数分割二元）モードと、ＴＤＤ（時分割二元）モードとをサポートするワイヤレス通信システム設計の１つまたは複数の態様が、スケーラブルな帯域幅についてのサポートを用いて説明される。しかしながら、必ずしもこのようである必要があるとは限らず、他のモードが、以上のモードに加えて、あるいは以上のモードの代わりに、サポートされることもできる。さらに、ここにおける概念およびアプローチは、ここにおいて説明される他の任意の概念またはアプローチに関連して使用される必要がないことに注意すべきである。
【００５５】
ＵＥが、おのおのが異なるｅＮＢによってサービスされる１つのセルから別のセルへと移動するときハンドオーバが起こり、ここでＵＥは、変化する無線状態に起因して、現在ＵＥをサービスしているソースｅＮＢからＵＥをサービスするためにより適したターゲットｅＮＢへと移動する。この決定は、ＵＥによって送信される隣接するセルの測定値を備えることができる、ＵＥから受信された測定報告に基づいている。ソースｅＮＢは、チャネル品質情報(Channel Quality Information)（ＣＱＩ）報告の定期性や、ソースｅＮＢからターゲットｅＮＢへのＵＥコンテキストの転送などのハンドオーバプロシージャの他の態様を制御する。例えば、ソースｅＮＢにおける物理レイヤは、ＵＥからの測定報告を処理し、そして適切な表示を上位レイヤに送信することができる。
【００５６】
図４は、一態様に従って実行されるハンドオーバプロシージャを示している。図において、４０２は、モビリティトンネル(mobility tunnels)と、無線ベアラ(radio bearers)との間のカップリングを保持し、そしてまたＵＥ４０４に関連するＵＥコンテキストを保持するソースまたはサービングｅＮＢである。ＵＥ４０４が１つのセルから別のセルへと移動するときに、ソースｅＮＢ４０２は、選択されたターゲットｅＮＢ４０６に対してカップリング情報とＵＥコンテキストとを送信することにより、ハンドオーバプロシージャについての準備を開始する。これは、その現在の無線状態を信号で伝える、ＵＥ４０４からの測定報告によってトリガされ、その現在の無線状態に基づいてターゲットｅＮＢ４０６が選択される。ターゲットｅＮＢ４０６がＵＥ４０４を迎え入れる(take on)準備ができていることを信号で伝えるとすぐに、ソースｅＮＢ４０２は、ターゲットｅＮｏｄｅ４０６に対するその無線ベアラを変更するようにＵＥ４０４に命令する。ハンドオフを完了するためには、サービングゲートウェイ(serving gateway)（Ｓ−ＧＷ）は、今やＵＥ４０４をサーブしている新しいターゲットｅＮＢ４０６を用いて、そのログ(log)をアップデートする必要がある。それに応じて、ＭＭＥ（モビリティ管理エンティティ(Mobility Management Entity)）はソースｅＮＢ４０２からターゲットｅＮＢ４０６へのモビリティトンネルスイッチ(mobility tunnel switch)を調整する。ＭＭＥはユーザＩＰパケットを受信することはできないが、ＵＥのモビリティを容易にする、信号で伝えるだけのエンティティ(signaling only entity)とすることができる。それは、無線ベアラが正常に転送されたことを示す、ターゲットｅＮＢ４０６から受信される信号に基づいて、Ｓ−ＧＷにおけるアップデートをトリガする。
【００５７】
上記に説明されるプロシージャに従って、ＵＥ４０４が、そのサービングｅＮＢを変更する必要があるときに、それは、好ましいターゲットｅＮＢ４０６を含む測定報告をソースｅＮＢ４０２に対して送信する。これは、図の中でＵＥからソースｅＮＢへのアップリンク通信（ａ）として示される。それに応じて、ソースｅＮＢは、ＨＯ（ハンドオーバ）要求(Request)を用いてＵＥコンテキストをターゲットｅＮＢに対して転送する（ｂ）。
【００５８】
ターゲットｅＮＢは、ＨＯ受け入れメッセージ(HO Accept message)の中でＨＯ要求のその受け入れを信号で伝える（ｃ）。ターゲットｅＮＢからのＨＯ受け入れメッセージを受信するとすぐに、ソースｅＮＢは、ＨＯコマンド(HO Command)をＵＥに対して信号で伝える（ｄ）。以下にさらに詳述される異なる態様においては、ターゲットｅＮＢは、ＨＯコマンドをソースｅＮＢに対して送信することができ、このソースｅＮＢは、それをＵＥに対して転送する。ＵＥからターゲットｅＮＢへのＨＯ完了メッセージ(HO Complete message)は、Ｓ−ＧＷにおけるユーザプレーンアップデート(user plane update)（ｆ）のために（ｅ）に示されるようにＭＭＥをトリガするためにターゲットｅＮＢによって利用されることができる。したがって、モビリティトンネルは、（ｇ）に示されるようにソースｅＮＢ４０２からターゲットｅＮＢ４０６へと切り換えられる。
【００５９】
図５は、上記に説明されるシステムのより詳細なオペレーションを示している。上記で述べられるように、ＵＥを現在サーブしているソースｅＮＢからターゲットｅＮＢへのハンドオーバ（「インターｅＮＢハンドオーバ(inter eNB handover)」）は、測定報告に示されるように好ましいターゲットｅＮＢに関するＵＥからの信号に応じてすぐに起こる。さらなる態様に従って、ソースｅＮＢは、ＨＯ要求メッセージの中でターゲットｅＮＢに対して、要求するＵＥの現在のコンフィギュレーションを信号で伝える。この情報は、トランスペアレントコンテナの中でＵＥについての完全なコンフィギュレーションまたはデルタコンフィギュレーションを含む応答を定式化するために、ターゲットｅＮＢによって使用されることができる。それ故に、ターゲットｅＮＢは、現在のＵＥコンフィギュレーションをターゲットｅＮＢによって必要とされるコンフィギュレーションと比較し、そして現在のＵＥコンフィギュレーションにおいてターゲットｅＮＢによって必要とされる変更を備えるデルタコンフィギュレーションを生成する。デルタコンフィギュレーションは、ＨＯ要求肯定応答メッセージの中の、ターゲットｅＮＢからソースｅＮＢへのトランスペアレントコンテナの中で送信されることができる。トランスペアレントコンテナは、ソースｅＮＢが、そのコンテナの詳細な内容を知る必要なしにデルタコンフィギュレーションをＵＥへと転送することを容易にする。このメカニズムは異なるプロトコルバージョン
をサポートすることができ、あるいは（例えば、異なるベンダーからであることに起因して）無線コンフィギュレーションについての異なるポリシーを有することができるソースｅＮＢとターゲットｅＮＢとの組合せを可能にする。ＵＥはＨＯコマンドメッセージの中のソースｅＮＢによって転送されるトランスペアレントコンテナを受信することができる。それ故に、ＵＥがハンドオーバメッセージの中のターゲットｅＮＢにおいて使用する必要がある測定コンフィギュレーションを含むことは有利であるが、信頼できる配信のためにハンドオーバメッセージの実際のサイズを低減させようと試みることもまた、重要である。
【００６０】
したがって、さらなる態様は、ソースｅＮＢがハンドオーバメッセージの中で送信される情報を選択することを可能にし、それによってＵＥに対するメッセージに含まれることができる情報を低減させる送信のスキームに関する。例えば、ターゲットｅＮＢは、ソースｅＮＢ（ｅＮＢ）における状況が、不可欠な情報と一緒に不可欠でない情報の送信を可能にするかどうかについての知識を有さない可能性がある。それ故に、ソースｅＮＢは、ＨＯ要求メッセージ(HO REQUEST message)の中で不可欠でないコンフィギュレーションが送信されることができるかどうかを示す。ターゲットｅＮＢは、それが許可される場合だけに、ＨＯ要求肯定応答メッセージ(HO REQUEST Acknowledgement message)の中で不可欠でないコンフィギュレーションをソースｅＮＢへと転送する。この態様に従って、他のメッセージは、ＨＯ要求メッセージ／ＨＯ要求肯定応答メッセージ(HO REQUEST / HO REQUEST ACKNOWLEDGE messages)に加えてＸ２上で送信される必要はない。しかしながら、それは、不可欠でないコンフィギュレーションが、突然の無線状態変化に起因して、ＨＯコマンドが送信される時刻までにＵＥに対して信頼できるように配信されることができない場合に対処してはいない。ソースｅＮＢがこのオプションと共に有する唯一の選択肢は、不可欠な情報および不可欠でない情報を送信しようと試みることである。ハンドオーバ中に送信される情報に関するソースｅＮＢまたはＵＥからの余分な信号は、従来の教示に反する可能性があるが、それは、サービスを改善する助けをする、ＵＥの信頼できるハンドオーバをもたらす。
【００６１】
したがって、ソースｅＮＢがハンドオーバメッセージの中で不可欠でないコンフィギュレーションを送信すべきかどうかを選択することができるという送信のスキームは、ワイヤレス通信システム内において有利である。この態様においては、ターゲットｅＮＢは、不可欠でない情報に関する、ソースｅＮＢからの信号にかかわらず、不可欠でない情報をソースｅＮＢに対して送信することができる。不可欠でない情報がＵＥに対して送信されない場合、ソースｅＮＢは非送信をターゲットｅＮＢに対して信号で伝えることができる。代わりに、ＨＯ完了メッセージ(HO COMPLETE message)を経由してソースｅＮＢから受信した情報をターゲットｅＮＢに対して信号で伝えることができる。
【００６２】
図６は、ターゲットｅＮＢにおいて使用される無線コンフィギュレーションがトランスペアレントコンテナの中でターゲットｅＮＢからソースｅＮＢへと信号で伝えられるという、インター−ｅＮＢハンドオーバ(inter-eNB handover)の一態様に関する。さらに、ソースｅＮＢからのＨＯコマンドメッセージはトランスペアレントコンテナを含んでいる。これらは、ソースｅＮＢがコンテナの詳細な内容を理解する必要がないことを示す。上記に述べられるように、このメカニズムは異なるプロトコルバージョンをサポートすることができ、または無線コンフィギュレーションについての異なるポリシーを有することができる、ソースｅＮＢとターゲットｅＮＢとの組合せを可能にする。図の中で、６０２はトップレベルＩＥ（情報エレメント(information element)）の複数の(multiple)インスタンスを有する、ＷＣＤＭＡシステムの中のＲＲＣメッセージの同等物であり、このトップレベルＩＥについて基本プロシージャが指定される。これは、関連のあるＩＥが、ターゲットｅＮＢによってソースｅＮＢに対して提供されるインター−ｅＮＢハンドオーバメカニズムと共に機能する。インター−ｅＮＢハンドオーバの場合には、ターゲットｅＮＢから受信されるトランスペアレントコンテナをＲＲＣ接続変更コマンドメッセージ(RRC CONNECTION CHANGE COMMAND message)の中に入れる。これは、トランスペアレントコンテナの中のトップレベルＩＥを含めてターゲットｅＮＢを経由して達成される。それに応じて、トランスペアレントコンテナを使用することができるトップレベルＩＥでは、ソースｅＮＢによるローカルコンフィギュレーションと、トランスペアレントコンテナとの間の選択(CHOICE)は、ＲＲＣ接続変更コマンドメッセージ６０４に示されるように指定されることができる。したがって、メッセージ６０４は、トランスペアレントコンテナを有するインター−ｅＮＢハンドオーバ、ならびにローカルコンフィギュレーションを有するイントラ−ｅＮＢハンドオーバ(intra-eNB handover)の両方を容易にする。後者の場合には、ＵＥは、１つのセルから同じｅＮＢに関連する別のセルへと移動することができ、それ故にトランスペアレントコンテナを必要としないこと
になる。前者の場合には、ＵＥは、プロトコルのどのリリースをコンテナが含むかを見出すために、トランスペアレントコンテナを復号することができる。これは、Ｘ２インターフェース（インターｅＮＢハンドオーバを容易にするＬＴＥの中のｅＮＢの間で定義される追加のインターフェース）上で転送されるトップレベルＩＥだけ（但し、全体のメッセージではない）を有することを容易にする。それ故に、メッセージ６０４から分かるように、選択オプション(CHOICE option)は、ＵＥが同じｅＮＢにとどまるローカルコンフィギュレーションと、ＵＥが１つのｅＮＢから異なるｅＮＢへと移動するトランスペアレントコンテナとの間にトップレベルＩＥを分離する。
【００６３】
説明の簡単の目的のために、例えば、フローチャートの形式で、ここにおいて示される１つまたは複数の方法は、一連の動作(acts)として示され説明されるが、いくつかの動作は、本発明に従って、ここにおいて示され説明される順序とは異なる順序で、かつ／または他の動作と同時に起こることができるので、本発明は動作の順序によって限定されないことを理解し認識すべきである。例えば、当業者は、方法が、代わりに状態図などの中の一連の相互に関係した状態またはイベントとして表されることができることを理解し、認識するであろう。さらに、必ずしもすべての例示された動作が本発明に従って一方法をインプリメントするために必要とされる可能性があるとは限らない。
【００６４】
図７は、一態様に従ってインターｅＮＢハンドオーバを実行するための方法７００に関する。本方法は７０２において開始され、ここでソースｅＮＢは、好ましいターゲットｅＮＢに関する情報を備える、ＵＥからの測定報告を受信する。７０４において、ＵＥの現在のコンフィギュレーションに関する情報を備えるＨＯ要求メッセージ(HO REQUEST message)がソースｅＮＢによって好ましいターゲットｅＮＢに対して転送される。７０６において、ソースｅＮＢはターゲットｅＮＢからＨＯ要求ＡＣＫメッセージ(HO REQUEST ACK message)（ハンドオーバ要求肯定応答）を受信する。より詳細な一態様においては、肯定応答メッセージはデルタコンフィギュレーションを備えることができ、ここでターゲットｅＮＢは、ＨＯ要求メッセージの中で受信される現在のＵＥコンフィギュレーションを比較し、そして現在のＵＥコンフィギュレーションにおいてそれが肯定応答メッセージの中のデルタコンフィギュレーションとして必要とする変更を指定する。さらなる一態様においては、デルタコンフィギュレーションはトランスペアレントコンテナの中で指定されることができる。７０８において、ＨＯコマンドメッセージ(HO COMMAND message)を経由してデルタコンフィギュレーションを指定するトランスペアレントコンテナをＵＥに対して転送する。このメッセージはソースｅＮＢからターゲットｅＮＢへのＵＥの転送を容易にする。トランスペアレントコンテナは、ソースｅＮＢがＨＯコマンドメッセージを定式化するためにデルタコンフィギュレーションの詳細を検査する必要性を軽減し、そしてその代わりにソースｅＮＢはただ、ＨＯコマンドメッセージの中でトランスペアレントコンテナをＵＥに対して転送する。このプロセスは、その後に終了ブロックに到達する。
【００６５】
図８Ａは、一態様に従ってインターｅＮＢハンドオーバの中でターゲットｅＮＢからＵＥへと不可欠な情報および／または不可欠でない情報を送信する方法８００に関する。プロシージャは８０２において開始され、ここでソースｅＮＢは、それがサーブするＵＥからの測定報告を備えるメッセージを受信する。測定メッセージは、ＵＥに関連する現在の無線状態だけでなく、ＵＥが好むターゲットｅＮＢも示す。ＵＥに関連する無線状態に少なくとも基づいて、ソースｅＮＢは、ＵＥに対して送信されることができる情報を決定する。より詳細には、ソースｅＮＢは、ターゲットｅＮＢから受信されるハンドオーバに関する不可欠でない任意の情報が、８０４に示されるようにＵＥに対して送信されることができるかどうかを決定する。例えば、ＵＥが、良好なＳＮＲ特性または有利なサービス条件(service terms)を有する場合、ソースｅＮＢは、不可欠な情報および不可欠でない情報を含むすべての情報が、ＵＥに対して送信されることができると結論を下すことができる。逆に、ＵＥが、少量のリソースに面している場合、そのときにはハンドオーバを行うために不可欠な情報だけが、それに対して送信されることができる。ＵＥが、有利な無線状態を有する場合、そのときにはソースｅＮＢは、８０８に示されるようにＵＥに対して送信するために不可欠な情報と不可欠でない情報との両方を通信するようにターゲットｅＮＢに対して信号で伝え、そうでなければ不可欠な情報だけが、８０６に示されるようにターゲットｅＮＢから要求される。これは、一態様に従ってＨＯ要求メッセージの中でソースｅＮＢによって信号で伝えられることができる。適切なＨＯ要求メッセージを送信するとすぐに、ソースｅＮＢは、８１０に示されるように要求された情報を備えるＨＯ要求ＡＣＫメッセージを受信する。この情報は、８１２に示されるようにＨＯコマンドメッセージの中でＵＥに対して転送される。さらなる一態様に従って、情報はトランスペアレントコンテナの中でターゲットｅＮＢによってソースｅＮＢに対して送信され、このトランスペアレントコンテナの内容はソースｅＮＢによって検査されず、そしてその代わりに、ソースｅＮＢはただ、ＨＯコマンドメッセージの中でトランスペアレントコンテナをＵＥに対して転送する。
【００６６】
図８Ｂは、インター−ｅＮＢハンドオーバプロシージャの中でソースｅＮＢによってＵＥに対して不可欠な／不可欠でない情報を送信する別の態様に関するフローチャート８２０を示している。プロシージャは、８２２において開始され、ここでソースｅＮＢは、有利な無線状態を示す、ＵＥからの測定メッセージを受信する。それに応じて８２４において、ソースｅＮＢは好ましいターゲットｅＮＢからの不可欠な情報および不可欠でない情報を要求する。８２６において、１つまたは複数のソースｅＮＢまたはＵＥに関連する無線状態が変化しているかどうかが決定される。無線状態に変化がない場合、そのときにはターゲットｅＮＢから受信されるすべての情報は、８２８に示されるようにソースｅＮＢによってＵＥに対して送信される。１つまたは複数のＵＥまたはソースｅＮＢに関連する無線状態に変化がある場合、８３０に示されるように変化が有利な変化であるかどうかが決定される。変化が有利である場合、プロセスは８２８へと戻り、ここで不可欠な情報と不可欠でない情報との両方を備えるすべての受信された情報がソースｅＮＢによってＵＥに対して送信される。しかしながら、変化が有利でないことが８３０において決定される場合、そのときには、ソースｅＮＢは、８３２に示されるように不可欠な情報だけを送信する。ターゲットｅＮＢは、８３４に示されるように不可欠でない情報の通信の欠如について通知され、そしてプロシージャは停止ブロックにおいて終了する。代わりに、プロシージャはターゲットｅＮＢに通知することなく終了することができ、そしてその代わりにＵＥは、それが送信するＨＯ完了メッセージ(HO COMPLETE message)の中でそれが受信したすべての情報についてターゲットｅＮＢに通知する。
【００６７】
図９は、一態様に従ってハンドオーバを実行する方法のフローチャート９００である。本方法は９０２において開始され、ここでインターｅＮＢハンドオーバを望むＵＥは、それをサーブするソースｅＮＢに対して測定報告を備えるメッセージを送信する。測定メッセージは、ＵＥと、その現在のコンフィギュレーションと、好ましいターゲットＵＥとに関連する無線状態に関する情報を備える。それに応じて、ＨＯコマンドメッセージ(HO COMMAND message)は、９０４に示されるように、ソースｅＮＢから受信され、ここでメッセージは、好ましいターゲットｅＮＢに対して転送されるようにするために現在のＵＥコンフィギュレーションに対する変更を詳述するデルタコンフィギュレーションに関する情報を備える。より詳細な一態様に従って、このコンフィギュレーションは、トランスペアレントコンテナの中で送信されるデルタコンフィギュレーションとすることができる。別の態様においては、ＵＥは、その現在のコンフィギュレーションを保持していることができ、ここでトランスペアレントコンテナの内容は、現在のＵＥコンフィギュレーションに対する変更を引き起こさない。それに応じて、９０６において、ＵＥが、その現在のコンフィギュレーションに関連する任意のパラメータを変更すべきかどうかが決定される。そうである場合、そのときにはＨＯコマンドメッセージの中の受信されたデルタコンフィギュレーションの中で詳述される変更は、９０８に示されるように現在のコンフィギュレーションとしてインプリメントされ、そしてＵＥは、９１０に示されるように好ましいターゲットｅＮＢに関連づけられる。９０６において、現在のＵＥコンフィギュレーションに対して変更が必要でないことが決定される場合、そのときにはＵＥは、９１２に示されるようにその現在のコンフィギュレーションを保持する。プロシージャは９１０へと移動し、ここでＵＥは好ましいターゲットｅＮＢに関連づけ、そしてプロシージャは、その後に停止ブロックにおいて終了する。ここにおいて説明される方法は、１つのｅＮＢから別のｅＮＢへのＵＥのハンドオーバを詳述するが、ＵＥが、インターｅＮＢハンドオーバを実行することは、必ずしも必要とは限らないことが、理解されることができる。ＵＥが、同じｅＮＢに関連するセルの間で移動するときに、同じプロシージャが、イントラｅＮＢハンドオーバについても適用されることができる。
【００６８】
図１０は、一態様に従って情報を受信する方法のフローチャート１０００である。本方法は１００２において開始され、ここでインターｅＮＢハンドオーバを必要とするＵＥは、そのソースｅＮＢに対して測定報告を送信する。測定報告は、ＵＥと、ＵＥによって好まれるターゲットｅＮＢとに関連する無線状態に関する情報を備えることができる。受信された測定報告に基づいて、ソースｅＮＢは、ＵＥが、好ましいターゲットｅＮＢからの不可欠な情報および不可欠でない情報を受信することができるかどうか、あるいは不可欠な情報だけが転送されるべきかどうかを決定する。それに応じて、測定報告からの無線状態のその認識に基づいてソースｅＮＢによって含められる情報を備えるＨＯコマンドメッセージが、１００４においてＵＥによって受信される。１００６において、ソースｅＮＢから受信されるメッセージは復号され、そして１００８において、送信される情報は決定される。本方法は、１０１０に示されるように好ましいターゲットｅＮＢに対してハンドオーバと共に進む。１０１２において、ハンドオーバの完了のすぐ後に、ＵＥは、それがＨＯ完了メッセージの中でソースｅＮＢから受信した情報をターゲットｅＮＢに対して送信し、それによって不可欠でない情報の受信／受信の欠如についてターゲットｅＮＢに通知している。
【００６９】
図１１は、様々な態様に従ってデバイスの様々なコンポーネントのハイレベルのシステム図を示している。デバイス１１００は、ｅＮｏｄｅ  Ｂ、ＵＥ、またはそれらの組合せとすることができることを理解すべきである。そのデバイスは、ここにおいて説明されるようなハードウェア、ソフトウェア、およびサービスを利用した様々なエンティティに対する通信を受信することと、送信することとを容易にする通信コンポーネント１１０２を備える。通信コンポーネント１１０２は、単一のエンティティとして示されているが、別個の送信コンポーネントと受信コンポーネントとが通信を送信し、そして受信するために使用されることができる。一態様に従って、デバイス１１００は、ｅＮｏｄｅ  Ｂとして動作することができ、そして通信コンポーネント１１０２は、１つまたは複数のリソース要求、データ送信などに関連した様々なＵＥから通信を受信する。解析コンポーネント１１０４は、ハンドオーバを要求している任意のＵＥを識別するために様々なＵＥから受信される通信を解析する。解析コンポーネント１１０４は、単一の組、または複数の組のプロセッサまたはマルチコアプロセッサを含むことができ、ここでプロセッサは、それに関連する無線状態を決定するために、またはハンドオーバを要求するＵＥについての好ましいターゲットｅＮＢを決定するために、ＵＥから受信されるメッセージを復号すること、ハンドオーバを要求するためのメッセージを定式化すること、ＵＥについてのデルタコンフィギュレーションを生成することなど、ハンドオーバを容易にするための情報を生成することなど他のオペレーションを実行することができる。さらに、解析コンポーネント１１０４は、一体化された処理システムおよび／または分散された処理システムとしてインプリメントされることができる。解析コンポーネント１１０４によって収集される情報は、さらに処理するためにメモリ１１０６／データストア１１０８に記憶されることができる。メモリ１１０６は、ランダムアクセスメモリ(random access memory)（ＲＡＭ）、リードオンリーメモリ(read only memory)（ＲＯＭ）、またはそれらの組合せを含むことができる。データストア１１０８は、ここにおいて説明される態様に関連して使用される情報と、データベースと、プログラムとのマスストレージを提供するハードウェアおよび／またはソフトウェアの適切な任意の組合せとすることができる。
【００７０】
図１２は、ここにおいて説明される異なる態様に従ってデバイス１２００の様々なコンポーネントを示す別のハイレベル図である。デバイス１２００は、ｅＮｏｄｅ  Ｂ、ＵＥ、またはそれらの組合せとすることができる。デバイスは、様々な通信を送信するための送信コンポーネント１２０２を備える。デバイスが、ＵＥとして動作している場合、そのときには送信コンポーネント１２０２は、サービングｅＮｏｄｅ  Ｂ／基地局に対してアップリンク上で様々な通信を送信することができる。通信は、無線状態を通信する測定報告や、ハンドオーバについての好ましいターゲットｅＮＢなど、リソース要求、割り当てられたリソース上でのデータ送信、あるいは他の制御通信を含むことができる。デバイスは、ｅＮｏｄｅ  Ｂ、他のＵＥ、またはそれらの組合せを含めて様々なエンティティからの通信を受信するための受信コンポーネント１２０４も備える。一態様に従って、デバイス１２００は、ハンドオーバを要求する測定報告を送信するとすぐにＨＯコマンドメッセージなどの制御メッセージの送信を受信することができる。これらのメッセージは、データストア１２０６に記憶されることができる。データストア１２０６は、ここにおいて説明される態様に関連して使用される情報と、データベースと、プログラムとのマスストレージを提供するハードウェアおよび／またはソフトウェアの適切な任意の組合せとすることができる。デバイス１２００は、オプショナルに、ランダムアクセスメモリ（ＲＡＭ）、リードオンリーメモリ（ＲＯＭ）、またはそれらの組合せを含めて揮発性／不揮発性のメモリ１２０８を備えることができる。受信されたメッセージは、処理コンポーネント１２１０によって復号され、そして処理される。一態様に従って、ハンドオーバに関連したメッセージは、ハンドオーバを容易にするために１つまたは複数の不可欠な情報、または不可欠でない情報を備えることができる。そのような制御メッセージから復号される情報は、メモリ１２０８および／またはデータストア１２０６に記憶され、そしてハンドオーバまたは他のプロシージャを制御するために処理コンポーネント１２１０によって使用されることができる。
【００７１】
次に、開示される主題の態様を可能にすることができるシステムが、図１３および１４に関連して説明される。そのようなシステムは機能ブロックを含むことができ、これらの機能ブロックは、プロセッサまたは電子機械、ソフトウェア、あるいはそれらの組合せ（例えば、ファームウェア）によってインプリメントされる機能を表す機能ブロックとすることができる。
【００７２】
図１３は、主題の明細書に開示される態様に従ってハンドオーバを可能にする一例のシステム１３００のブロック図を示している。システム１３００は、例えば、基地局内に少なくとも部分的に存在することができる。システム１３００は、連動して動作することができる電子コンポーネントの論理的グループ分け１３１０を含んでいる。主題の革新の一態様においては、論理的グループ分け１３１０は、ＵＥに関連する現在のコンフィギュレーションを詳述する、１つまたは複数のＵＥからの１つまたは複数の測定報告を受信するための電子コンポーネント１３１５と、ハンドオーバを要求する少なくとも１つのＵＥを識別するために測定報告を解析するための電子コンポーネント１３２５と、ＵＥの現在のコンフィギュレーションに対する１つまたは複数の変更を指定する少なくとも１つのデルタコンフィギュレーションを備えるメッセージをＵＥに対して送信するための電子コンポーネント１３３５と、を含む。
【００７３】
システム１３００は、電子コンポーネント１３１５、１３２５、および１２３５に関連する機能を実行するための命令、ならびにそのような機能を実行中に生成されることができる測定され、または計算されたデータ、を保持するメモリ１３４０を含むこともできる。メモリ１３４０の外部にあるように示されているが、電子コンポーネント１３１５、１３２５、および１３３５のうちの１つまたは複数は、メモリ１３４０内に存在することができることを理解すべきである。
【００７４】
図１４は、主題の明細書に説明される態様に従ってインターｅＮＢハンドオーバを可能にする一例のシステム１４００のブロック図を示している。システム１３００は、例えば、モバイル内に少なくとも部分的に存在することができる。システム１４００は、連動して動作することができる電子コンポーネントの論理的グループ分け１４１０を含んでいる。主題の革新の一態様においては、論理的グループ分け１４１０は、ＵＥに関連する現在のコンフィギュレーションと無線状態とを備える測定報告を生成するための電子コンポーネント１４１５と、測定報告を送信するための電子コンポーネント１４２５と、ハンドオーバを容易にするために必要とされる、現在のコンフィギュレーションに対する１つまたは複数の変更を詳述するデルタコンフィギュレーションを備えるハンドオーバメッセージを受信するための電子コンポーネント１４３５とを含む。
【００７５】
システム１４００は、電子コンポーネント１４１５、１４２５、および１４３５に関連する機能を実行するための命令、ならびにそのような機能を実行中に生成されることができる測定され、または計算されたデータを保持するメモリ１４４０を含むこともできる。メモリ１４４０の外部にあるように示されているが、電子コンポーネント１４１５、１４２５、および１４３５のうちの１つまたは複数は、メモリ１４４０内に存在することができることを理解すべきである。
【００７６】
上記に説明されてきているものは、様々な実施形態の例を含んでいる。実施形態を説明する目的のためにコンポーネントまたは方法のあらゆる考えられる組合せを説明することは、もちろん可能ではないが、当業者は、多数のさらなる組合せおよび置換が可能であることを認識することができる。したがって、詳細な説明は、添付の特許請求の範囲の精神および範囲内に含まれるすべてのそのような変更、修正、および変形を包含するように意図される。
【００７７】
特に、そして上記に説明されたコンポーネント、デバイス、回路、システムなどによって実行される様々な機能に関してそのようなコンポーネントを説明するために使用される用語（「手段」に対する参照を含む）は、たとえ実施形態のここにおいて示される例示の態様における機能を実行する開示された構造と構造的に同等でないとしても、別のやり方で示されていない限り、説明されたコンポーネントの指定された機能（例えば、機能的な同等物）を実行する任意のコンポーネントに対応するように意図される。これに関連して、実施形態は、様々な方法の動作および／またはイベントを実行するためのシステム、ならびにコンピュータ実行可能命令を有するコンピュータ可読媒体、を含むことも認識されるであろう。
【００７８】
さらに、特定の特徴(feature)はいくつかのインプリメンテーションのうちのただ１つに関して開示されてきている可能性があるが、そのような特徴は、与えられた任意の、または特定のアプリケーションについて望ましく、そして有利である可能性があるように、他のインプリメンテーションの１つまたは複数の他の特徴と組み合わされることができる。さらに、用語「含む(includes)」、「含んでいる(including)」およびそれらの変形が、詳細な説明または特許請求の範囲のいずれかにおいて使用される限りでは、これらの用語は、用語「備えている(comprising)」と同様にして包含的であるように意図される。
【００７９】
以下に、本願の出願当初の特許請求の範囲に記載された発明を付記する。
【００８０】
［１］  ワイヤレス通信システム内においてハンドオーバを実行するための方法であって、  ＵＥに関連する現在のコンフィギュレーションを備える測定報告を受信することと；  前記ＵＥのハンドオーバを容易にするために前記現在のＵＥコンフィギュレーションに対して行われるべき１つまたは複数の変更を備えるデルタコンフィギュレーションを前記ＵＥに対して送信することと；  を備える方法。
【００８１】
［２］  前記ハンドオーバは、ソースｅＮＢから好ましいターゲットｅＮＢに対するインターｅＮＢ（拡張ノードＢ）ハンドオーバである、［１］に記載の方法。
【００８２】
［３］  前記測定報告は、前記ＵＥから前記ソースｅＮＢへと送信され、そして前記好ましいターゲットｅＮＢに関する情報を備える、［２］に記載の方法。
【００８３】
［４］  前記デルタコンフィギュレーションは、前記ターゲットｅＮＢによって生成され、そして前記変更は、前記ソースｅＮＢから前記ターゲットｅＮＢへの前記ＵＥの前記ハンドオーバのために必要とされる、［２］に記載の方法。
【００８４】
［５］  前記デルタコンフィギュレーションは、トランスペアレントコンテナの中で前記ターゲットｅＮＢから前記ソースｅＮＢへと送信される、［４］に記載の方法。
【００８５】
［６］  前記ソースｅＮＢは、前記コンテナの中に備えられる情報の知識を獲得することなく前記トランスペアレントコンテナを前記ＵＥに対して転送する、［５］に記載の方法。
【００８６】
［７］  前記ハンドオーバに関連する１つまたは複数の不可欠な情報または不可欠でない情報が、前記ＵＥに対して転送されることができるかどうかを前記測定報告から決定すること、をさらに備える、［２］に記載の方法。
【００８７】
［８］  前記決定に少なくとも基づいて１つまたは複数の前記の不可欠な情報または不可欠でない情報を前記ソースｅＮＢにおいて受信することをさらに備える、［７］に記載の方法。
【００８８】
［９］  １つまたは複数の前記の受信された不可欠な情報または不可欠でない情報を前記ＵＥに対して転送する、［８］に記載の方法。
【００８９】
［１０］  前記不可欠な情報だけが前記ＵＥに対して転送される、［９］に記載の方法。
【００９０】
［１１］  前記ソースｅＮＢは、前記ターゲットｅＮＢに前記不可欠な情報だけの前記転送を通知する、［１０］に記載の方法。
【００９１】
［１２］  前記ＵＥは、前記ハンドオーバの完了のすぐ後に前記ソースｅＮＢから受信される前記情報を前記ターゲットｅＮＢに対して通信する、［１０］に記載の方法。
【００９２】
［１３］  前記ハンドオーバはイントラｅＮＢハンドオーバである、［１］に記載の方法。
【００９３】
［１４］  前記ハンドオーバを容易にする、前記ＵＥに対して送信されるメッセージは、ローカルコンフィギュレーションとトランスペアレントコンテナとの間の選択を備える、［１３］に記載の方法。
【００９４】
［１５］  通信システム内においてハンドオーバを容易にするための装置であって、  ハンドオーバを望むＵＥの現在のコンフィギュレーションに関する情報を備える少なくとも１つの測定報告を受信するレシーバと；  前記ＵＥについてのデルタコンフィギュレーションを備える少なくとも１つのハンドオーバメッセージを生成するプロセッサと、なお前記デルタコンフィギュレーションは、前記ハンドオーバを容易にするために前記現在のＵＥコンフィギュレーションの中で必要とされる１つまたは複数の変更を示す；  前記メッセージを前記ＵＥに対して送信するトランスミッタと；  を備える装置。
【００９５】
［１６］  前記測定報告は、前記ＵＥをサーブするソースｅＮＢにおいて受信され、そして好ましいターゲットＵＥに関する情報を備え、前記ハンドオーバは、インターｅＮＢハンドオーバである、［１５］に記載の装置。
【００９６】
［１７］  前記メッセージは、前記デルタコンフィギュレーションを備える少なくとも１つのトランスペアレントコンテナを備える、［１６］に記載の装置。
【００９７】
［１８］  前記レシーバは、前記ターゲットｅＮＢから前記トランスペアレントコンテナを受信する、［１７］に記載の装置。
【００９８】
［１９］  前記プロセッサは、さらに、１つまたは複数の不可欠な情報または不可欠でない情報が、前記ＵＥに関連する無線状態に関する情報を備える前記ＵＥからの前記測定報告に少なくとも基づいて、前記ＵＥに対して送信されることができるかどうかを決定する、［１６］に記載の装置。
【００９９】
［２０］  前記ＵＥに対して送信される前記メッセージは、前記プロセッサによって決定されるような１つまたは複数の前記の不可欠な情報または不可欠でない情報を備える、［１９］に記載の装置。
【０１００】
［２１］  少なくとも１台のコンピュータに、ＵＥに関連する現在のコンフィギュレーションを備える測定報告を受信するようにさせるためのコードと；  少なくとも１台のコンピュータに、前記現在のＵＥコンフィギュレーションに対して行われるべき１つまたは複数の変更を備えるデルタコンフィギュレーションを受信するようにさせるためのコードと；  少なくとも１台のコンピュータに、前記ＵＥのハンドオーバを容易にするために前記ＵＥに対して前記デルタコンフィギュレーションを送信するようにさせるためのコードと；  を備えるコンピュータ可読媒体、  を備えるコンピュータプログラムプロダクト。
【０１０１】
［２２］  前記測定報告は、前記ハンドオーバがインターｅＮＢハンドオーバであるときに、好ましいターゲットｅＮＢに関する情報をさらに備える、［２１］に記載のコンピュータプログラムプロダクト。
【０１０２】
［２３］  前記コンピュータ可読媒体は、少なくとも１台のコンピュータに、前記コンテナの内容を復号することなく前記ＵＥに対して前記デルタコンフィギュレーションに関する情報を備えるトランスペアレントコンテナを転送するようにさせるためのコードをさらに備える、［２２］に記載のコンピュータプログラムプロダクト。
【０１０３】
［２４］  前記コンピュータ可読媒体は、少なくとも１台のコンピュータに、１つまたは複数の不可欠なコンフィギュレーションまたは不可欠でないコンフィギュレーションが、前記ＵＥに関連する無線状態に関する情報をやはり備える前記測定報告に少なくとも基づいて、前記ＵＥに対して送信されることができるかどうかを決定するようにさせるためのコードをさらに備える、［２１］に記載のコンピュータプログラムプロダクト。
【０１０４】
［２５］  前記コンピュータ可読媒体は、少なくとも１台のコンピュータに、前記不可欠でない情報が前記ＵＥに対して送信されることができないことが決定される場合に、前記不可欠な情報だけを送信するために前記ターゲットｅＮＢに対してメッセージを送信するようにさせるためのコードをさらに備える、［２４］に記載のコンピュータプログラムプロダクト。
【０１０５】
［２６］  前記コンピュータ可読媒体は、少なくとも１台のコンピュータに、前記の不可欠な情報と不可欠でない情報との両方が前記ＵＥに対して送信されることができることが決定される場合に、前記の不可欠な情報と不可欠でない情報とを受信するようにさせるためのコードをさらに備える、［２４］に記載のコンピュータプログラムプロダクト。
【０１０６】
［２７］  前記コンピュータ可読媒体は、少なくとも１台のコンピュータに、前記不可欠でない情報が前記無線状態における変化に起因して送信されない場合に、前記不可欠でない情報の非送信に関する情報を備えるメッセージを前記ターゲットｅＮＢに対して送信するようにさせるためのコードをさらに備える、［２６］に記載のコンピュータプログラムプロダクト。
【０１０７】
［２８］  ハンドオーバを容易にするためのシステムであって、  １つまたは複数のＵＥから前記ＵＥに関連する現在のコンフィギュレーションを詳述する１つまたは複数の測定報告を受信するための手段と；  ハンドオーバを要求する少なくとも１つのＵＥを識別するために前記測定報告を解析するための手段と；  前記ＵＥの前記現在のコンフィギュレーションに対する１つまたは複数の変更を指定する少なくとも１つのデルタコンフィギュレーションを備えるメッセージを前記ＵＥに対して送信するための手段と；  を備えるシステム。
【０１０８】
［２９］  解析するための前記手段はまた、前記測定報告に少なくとも基づいて、１つまたは複数の不可欠な情報または不可欠でない情報が前記ＵＥに対して送信されることができるかどうかを決定する、［２８］に記載のシステム。
【０１０９】
［３０］  受信するための前記手段は、前記ハンドオーバがインターｅＮＢハンドオーバであるときに、好ましいターゲットｅＮＢからトランスペアレントコンテナの中で前記デルタコンフィギュレーションを受信する、［２９］に記載のシステム。
【０１１０】
［３１］  送信するための前記手段は、前記解析する手段が、前記コンテナの詳細な内容を検査することなく前記トランスペアレントコンテナを前記ＵＥに対して転送する、［３０］に記載のシステム。
【０１１１】
［３２］  ワイヤレス通信システムの中でインターｅＮＢハンドオーバを実行する方法であって、  ハンドオーバについての要求を受信することと、なお前記要求は、前記ハンドオーバを要求するＵＥに関連する現在のコンフィギュレーションに関する情報を備える；  前記ハンドオーバを容易にするために必要とされる、前記現在のコンフィギュレーションに対する１つまたは複数の変更を指定するデルタコンフィギュレーションを決定することと；  トランスペアレントコンテナの中で前記デルタコンフィギュレーションを送信することと；  を備える方法。
【０１１２】
［３３］  前記ＵＥを現在サーブするソースｅＮＢから受信されるメッセージに基づいて、１つまたは複数の不可欠な情報または不可欠でない情報を前記ＵＥに対して送信することをさらに備える、求項３２］に記載の方法。
【０１１３】
［３４］  前記ハンドオーバ中に前記ＵＥに対して送信される情報に関するメッセージを前記ＵＥから受信する、［３３］に記載の方法。
【０１１４】
［３５］  前記不可欠でない情報が前記ソースｅＮＢによって前記ＵＥに対してリレーされなかった場合に、前記ハンドオーバの完了のすぐ後に前記不可欠でない情報を前記ＵＥに対して再送信する、［３４］に記載の方法。
【０１１５】
［３６］  通信システム内においてハンドオーバを容易にするための装置であって、  ハンドオーバを要求するＵＥの現在のコンフィギュレーションに関する情報を受信するレシーバと；  前記ＵＥについての少なくとも１つのデルタコンフィギュレーションを決定するプロセッサと、なお前記デルタコンフィギュレーションは、前記ハンドオーバを容易にするために前記現在のＵＥコンフィギュレーションにおいて必要とされる１つまたは複数の変更を示す；  トランスペアレントコンテナの中で前記デルタコンフィギュレーションを送信するトランスミッタと；  を備える装置。
【０１１６】
［３７］  前記トランスミッタは、さらに、前記ＵＥを現在サーブするソースｅＮＢから受信されるメッセージに基づいて、１つまたは複数の不可欠な情報または不可欠でない情報を送信する、［３６］に記載の装置。
【０１１７】
［３８］  少なくとも１台のコンピュータに、ハンドオーバについての要求を受信するようにさせるためのコードと、なお前記要求は、前記ハンドオーバを要求するＵＥに関連する現在のコンフィギュレーションに関する情報を備える；  少なくとも１台のコンピュータに、前記ハンドオーバを容易にするために必要とされる、前記現在のコンフィギュレーションに対する１つまたは複数の変更を指定するデルタコンフィギュレーションを決定するようにさせるためのコードと；  少なくとも１台のコンピュータに、トランスペアレントコンテナの中で前記デルタコンフィギュレーションを送信するようにさせるためのコードと；  を備えるコンピュータ可読媒体、  を備えるコンピュータプログラムプロダクト。
【０１１８】
［３９］  前記コンピュータ可読媒体は、少なくとも１台のコンピュータに、前記ＵＥを現在サーブするソースｅＮＢから受信されるメッセージに基づいて１つまたは複数の不可欠な情報または不可欠でない情報を前記ＵＥに対して送信するようにさせるためのコードをさらに備える、［３８］に記載のコンピュータプログラムプロダクト。
【０１１９】
［４０］  前記コンピュータ可読媒体は、少なくとも１台のコンピュータに、前記ハンドオーバ中に前記ＵＥに対して送信される情報に関するメッセージを前記ＵＥから受信するようにさせるためのコードをさらに備える、［３９］に記載のコンピュータプログラムプロダクト。
【０１２０】
［４１］  ワイヤレス通信システム内においてハンドオーバを実行するための方法であって、  ＵＥの現在のコンフィギュレーションを備える測定報告を送信することと；  前記現在のコンフィギュレーションに対して行われるべき１つまたは複数の変更を備えるデルタコンフィギュレーションを受信することと；  前記ハンドオーバを容易にするために前記デルタコンフィギュレーションをインプリメントすることと；  を備える方法。
【０１２１】
［４２］  前記ハンドオーバは、ソースｅＮＢから好ましいターゲットｅＮＢへのインターｅＮＢ（拡張ノードＢ）ハンドオーバである、［４１］に記載の方法。
【０１２２】
［４３］  前記測定報告の中で前記ソースｅＮＢに対する前記好ましいターゲットｅＮＢを示すことをさらに備える、［４２］に記載の方法。
【０１２３】
［４４］  前記デルタコンフィギュレーションは、前記ソースｅＮＢからのトランスペ
アレントコンテナの中で受信される、［４２］に記載の方法。
【０１２４】
［４５］  前記測定報告の中に前記ＵＥに関連する無線状態に関する情報を含むことをさらに備える、［４２］に記載の方法。
【０１２５】
［４６］  前記測定報告の中で送信される無線状態に少なくとも基づいて前記ソースｅＮＢから１つまたは複数の不可欠な情報または不可欠でない情報を受信すること、をさらに備える［４５］に記載の方法。
【０１２６】
［４７］  前記ハンドオーバの完了のすぐ後に前記ソースｅＮＢから受信される前記情報に関する情報を備えるメッセージを前記ターゲットｅＮＢに対して送信することをさらに備える、［４６］に記載の方法。
【０１２７】
［４８］  ワイヤレス通信システムの中でハンドオーバを容易にするための装置であって、  ＵＥに関連する現在のコンフィギュレーションと無線状態とに関する情報を備える少なくとも１つの測定報告を生成するプロセッサと；  前記測定報告を送信するトランスミッタと；  デルタコンフィギュレーションを備えるメッセージを受信するレシーバと、なお前記デルタコンフィギュレーションは、前記ハンドオーバを容易にするために必要である、前記現在のコンフィギュレーションに対する変更を詳述する；  を備える装置。
【０１２８】
［４９］  前記ハンドオーバは、ソースｅＮＢから好ましいターゲットｅＮＢへのインターｅＮＢハンドオーバである、［４８］に記載の装置。
【０１２９】
［５０］  前記測定報告は、前記好ましいターゲットｅＮＢに関する情報をさらに備える、［４９］に記載の装置。
【０１３０】
［５１］  前記受信されたメッセージは、前記送信された無線状態に少なくとも基づいて、１つまたは複数の不可欠な情報または不可欠でない情報をさらに備える、［４９］に記載の装置。
【０１３１】
［５２］  少なくとも１台のコンピュータに、ＵＥの現在のコンフィギュレーションを備える測定報告を送信するようにさせるためのコードと；  少なくともコンピュータに、前記現在のコンフィギュレーションに対して行われるべき１つまたは複数の変更を備えるデルタコンフィギュレーションを受信するようにさせるためのコードと；  少なくとも１台のコンピュータに、前記ハンドオーバを容易にするために前記デルタコンフィギュレーションをインプリメントするようにさせるためのコードと；  を備えるコンピュータ可読媒体、  を備えるコンピュータプロダクトプログラム。
【０１３２】
［５３］  前記ハンドオーバは、ソースｅＮＢから好ましいターゲットｅＮＢへのインターｅＮＢ（拡張ノードＢ）ハンドオーバである、［５２］に記載のコンピュータプログラムプロダクト。
【０１３３】
［５４］  前記コンピュータ可読媒体は、少なくとも１台のコンピュータに、前記測定報告の中で前記好ましいターゲットｅＮＢを前記ソースｅＮＢに対して示すようにさせるためのコードをさらに備える、［５３］に記載のコンピュータプログラムプロダクト。
【０１３４】
［５５］  前記コンピュータ可読媒体は、少なくとも１台のコンピュータに、前記ソースｅＮＢからトランスペアレントコンテナの中で前記デルタコンフィギュレーションを受信することを容易にするようにさせるためのコードをさらに備える、［５３］に記載のコンピュータプログラムプロダクト。
【０１３５】
［５６］  前記コンピュータ可読媒体は、少なくとも１台のコンピュータに、前記測定報告の中に前記ＵＥに関連する無線状態に関する情報を含むようにさせるためのコードをさらに備える、［５３］に記載のコンピュータプログラムプロダクト。
【０１３６】
［５７］  前記コンピュータ可読媒体は、少なくとも１台のコンピュータに、前記測定報告の中で送信される無線状態に少なくとも基づいて前記ソースｅＮＢから１つまたは複数の不可欠な情報または不可欠でない情報を受信するようにさせるためのコードをさらに備える、［５６］に記載のコンピュータプログラムプロダクト。
【０１３７】
［５８］  前記コンピュータ可読媒体は、少なくとも１台のコンピュータに、前記ハンドオーバの完了のすぐ後に前記ソースｅＮＢから受信される前記情報に関する情報を備えるメッセージを前記ターゲットｅＮＢに対して送信するようにさせるためのコードをさらに備える、［５７］に記載のコンピュータプログラムプロダクト。
【０１３８】
［５９］  ハンドオーバを容易にするためのシステムであって、  ＵＥに関連する現在のコンフィギュレーションと無線状態とを備える測定報告を生成するための手段と；  前記測定報告を送信するための手段と；  前記ハンドオーバを容易にするために必要とされる、前記現在のコンフィギュレーションに対する１つまたは複数の変更を詳述するデルタコンフィギュレーションを備えるハンドオーバメッセージを受信するための手段と；  を備えるシステム。
【０１３９】
［６０］  前記ハンドオーバメッセージは、トランスペアレントコンテナの中で前記デルタコンフィギュレーションを搬送する、［５９］に記載のシステム。
【０１４０】
［６１］  前記ハンドオーバメッセージは、前記測定報告の中で送信される前記無線状態に少なくとも基づいて１つまたは複数の不可欠な情報または不可欠でない情報をさらに備える、［５９］に記載のシステム。
【図１】
0005602897.tif 000002
【図２】
0005602897.tif 000003
【図３】
0005602897.tif 000004
【図４】
0005602897.tif 000005
【図５】
0005602897.tif 000006
【図６】
0005602897.tif 000007
【図７】
0005602897.tif 000008
【図８Ａ】
0005602897.tif 000009
【図８Ｂ】
0005602897.tif 000010
【図９】
0005602897.tif 000011
【図１０】
0005602897.tif 000012
【図１１】
0005602897.tif 000013
【図１２】
0005602897.tif 000014
【図１３】
0005602897.tif 000015
【図１４】
0005602897.tif 000016